(57)【要約】【課題】取引カードが挿入され、クレジット磁気ストライプに磁気不良が生じているときに、クレジット磁気ストライプを復元させる。【解決手段】本発明に係る取引装置は、カード入出口と、カード入出口から挿入された取引カードのカードに関する情報を取得するカード処理部と、カード処理部からのカードに関する情報に基づき、取引カードがクレジット磁気記録媒体及びＩＣチップを有する取引カードであり、かつ、クレジット磁気記録媒体に磁気不良が生じているときに、取引カードの上記クレジット磁気記録媒体を復元する磁気復元部とを備えることを特徴とする。【選択図】      図１
2020035284.tif 000002
【特許請求の範囲】
【請求項１】
カード入出口と、
上記カード入出口から挿入された取引カードのカードに関する情報を取得するカード処理部と、
上記カード処理部からの上記カードに関する情報に基づき、上記取引カードがクレジット磁気記録媒体及びＩＣチップを有するクレジット一体型取引カードであり、かつ、上記クレジット磁気記録媒体に磁気不良が生じているときに、上記クレジット一体型取引カードの上記クレジット磁気記録媒体を復元する磁気復元部と
を備えることを特徴とする取引装置。
【請求項２】
上記磁気復元部が、上記クレジット一体型取引カードの上記ＩＣチップに格納されているクレジットに係る情報を取得し、
上記カード処理部が、上記クレジットに係る情報に基づく磁気データを、上記クレジット一体型取引カードの上記クレジット磁気記録媒体に書き込む
ことを特徴とする請求項１に記載の取引装置。
【請求項３】
ホストコンピュータとの間で情報を授受する通信部を備え、
上記磁気復元部が、上記通信部を介して、上記ＩＣチップに格納されている情報に基づいて上記ホストコンピュータにクレジットに関する情報の取得要求を行ない、上記ホストコンピュータから上記クレジットに関する情報を取得し、
上記カード処理部が、上記クレジットに係る情報に基づく磁気データを、上記クレジット一体型取引カードの上記クレジット磁気記録媒体に書き込む
ことを特徴とする請求項１又は２に記載の取引装置。
【請求項４】
上記クレジット一体型取引カードに上記クレジット磁気記録媒体とは異なる他のクレジット磁気記録媒体がある場合に、
上記磁気復元部が、上記他のクレジット磁気記録媒体に格納されているクレジットに関する情報を取得し、
上記カード処理部が、上記クレジットに係る情報に基づく磁気データを、上記クレジット一体型取引カードの上記クレジット磁気記録媒体に書き込む
ことを特徴とする請求項１〜３のいずれかに記載の取引装置。
【請求項５】
取引処理に係る操作画面を表示する操作表示部と、
上記操作表示部を通じて選択された取引を処理する取引処理部と
を備え、
上記取引処理部が、上記クレジット一体型取引カードの上記ＩＣチップに格納されている情報を用いて取引処理をし、
上記磁気復元部が、上記取引処理部による取引処理後、上記クレジット一体型取引カードの上記クレジット磁気記録媒体を復元する
ことを特徴とする請求項１〜４のいずれかに記載の取引装置。
【請求項６】
取引処理に係る操作画面を表示する操作表示部と、
上記操作表示部を通じて選択された取引を処理する取引処理部と
を備え、
上記磁気復元部が、上記クレジット一体型取引カードの上記クレジット磁気記録媒体を復元し、
上記取引処理部が、上記磁気復元部による上記クレジット磁気記録媒体の復元後に取引処理をする
ことを特徴とする請求項１〜４のいずれかに記載の取引装置。
【請求項７】
上記操作表示部には、上記クレジット磁気記録媒体の復元をするか否かの確認画面が表示され、
上記磁気復元部が、上記確認画面上で復元する旨が選択されると、上記クレジット磁気記録媒体を復元する
ことを特徴とする請求項５又は６に記載の取引装置。
【請求項８】
挿入された上記取引カードがＩＣチップを有しておらず、上記クレジット磁気記録媒体に磁気不良が生じているときに、上記取引は終了する
ことを特徴とする請求項５〜７のいずれかに記載の取引装置。
【請求項９】
挿入された取引カードが有する磁気記録媒体を復元する磁気復元方法であって、
カード処理部が、挿入された取引カードのカードに関する情報を取得し、
磁気復元部が、上記カード処理部からの上記カードに関する情報に基づき、上記取引カードがクレジット磁気記録媒体及びＩＣチップを有するクレジット一体型取引カードであり、かつ、上記クレジット磁気記録媒体に磁気不良が生じているときに、上記クレジット一体型取引カードの上記クレジット磁気記録媒体を復元する
ことを特徴とする磁気復元方法。
【請求項１０】
カード入出口と、
上記カード入出口から挿入されたカードのカードに関する情報を取得するカード処理部と、
上記カード処理部からの情報に基づき、上記カードが磁気記録媒体及びＩＣチップを有するものであり、かつ、上記カードの上記磁気記録媒体に磁気不良が生じているときに、上記磁気記録媒体の情報種類又は上記カードに関する情報に対応する上記ＩＣチップのアプリケーションを起動させて得た情報に基づいて、上記カードの上記磁気記録媒体を復元する磁気復元部と
を備えることを特徴とする取引装置。
【発明の詳細な説明】
【技術分野】
【０００１】
本発明は、取引装置及び磁気復元方法に関し、例えば、金融機関やコンビニエンスストア等の店舗や駅等に設置される取引装置に適用し得るものである。
【背景技術】
【０００２】
例えば、キャッシュカードやクレジットカード等のカードには、各種カード情報を格納する磁気ストライプ（磁気記録媒体）が付されているものがある。磁気ストライプは、磁性を変化させることでデータを格納するものであるため、例えば、経年劣化により磁性が弱くなったり、強い磁気を持つ物体の影響により消磁したりして、磁気不良が生じ得る。
【０００３】
特許文献１には、ＩＣチップ及び磁気ストライプを有するキャッシュカードについて、ＩＣチップから読み込んだ金融機関の口座情報を用いて、磁気ストライプに磁気データを書き込み、磁気ストライプを復元する自動取引装置が開示されている。
【０００４】
ところで、近年、様々な種類のカードが普及しており、そのうちの１つとして、例えばクレジット機能が一体となったＩＣキャッシュカードがある。このようなＩＣキャッシュカードには、クレジットカード用のクレジット磁気ストライプが搭載されているものがある。
【先行技術文献】
【特許文献】
【０００５】
【特許文献１】特開２０１３−１６０９２号公報
【発明の概要】
【発明が解決しようとする課題】
【０００６】
しかしながら、クレジット磁気ストライプには、金融機関の口座情報ではなく、クレジット口座情報が格納されるため、取引装置でクレジット磁気ストライプの磁気不良を回復させることはできなかった。
【０００７】
そのため、クレジット一体型取引カードなどクレジット磁気ストライプを有する取引カードが挿入され、クレジット磁気ストライプに磁気不良が生じているときに、クレジット磁気ストライプを復元させることができる取引装置及び磁気復元方法が求められている。
【課題を解決するための手段】
【０００８】
かかる課題を解決するために、第１の本発明に係る取引装置は、（１）カード入出口と、（２）カード入出口から挿入された取引カードのカードに関する情報を取得するカード処理部と、（３）カード処理部からのカードに関する情報に基づき、取引カードがクレジット磁気記録媒体及びＩＣチップを有するクレジット一体型取引カードであり、かつ、クレジット磁気記録媒体に磁気不良が生じているときに、クレジット一体型取引カードの上記クレジット磁気記録媒体を復元する磁気復元部とを備えることを特徴とする。
【０００９】
第２の本発明に係る磁気復元方法は、挿入された取引カードが有する磁気記録媒体を復元する磁気復元方法であって、（１）カード処理部が、挿入された取引カードのカードに関する情報を取得し、（２）磁気復元部は、カード処理部からのカードに関する情報に基づき、取引カードがクレジット磁気記録媒体及びＩＣチップを有するクレジット一体型取引カードであり、かつ、クレジット磁気記録媒体に磁気不良が生じているときに、クレジット一体型取引カードの上記クレジット磁気記録媒体を復元することを特徴とする。
【００１０】
第３の本発明に係る取引装置は、（１）カード入出口と、（２）カード入出口から挿入されたカードのカードに関する情報を取得するカード処理部と、（３）カード処理部からの情報に基づき、カードが磁気記録媒体及びＩＣチップを有するものであり、かつ、カードの上記磁気記録媒体に磁気不良が生じているときに、磁気記録媒体の情報種類又はカードに関する情報に対応するＩＣチップのアプリケーションを起動させて得た情報に基づいて、カードの上記磁気記録媒体を復元する磁気復元部とを備えることを特徴とする。
【発明の効果】
【００１１】
本発明によれば、取引カードが挿入され、クレジット磁気ストライプに磁気不良が生じているときに、クレジット磁気ストライプを復元させることができる。
【図面の簡単な説明】
【００１２】
【図１】第１の実施形態に係る取引装置の制御系の構成を示す構成図である。
【図２】第１の実施形態に係る取引システムの全体構成及び取引装置の外観構成を示す構成図である。
【図３】第１の実施形態に係る取引カードの表面（第１面）の構成を示す構成図である。
【図４】第１の実施形態に係る取引カードの裏面（第２面）の構成を示す構成図である。
【図５】第１の実施形態に係るカード処理部の構成を示す構成図である。
【図６】第１の実施形態に係る磁気データの復元処理を示すフローチャートである。
【図７】第１の実施形態に係るＩＣチップからクレジット口座情報を取得する取得処理を示すシーケンス図である。
【図８】ＩＣチップからクレジット口座情報を取得する他の取得処理を示すシーケンス図である。
【図９】第１の実施形態に係る取引装置の操作表示部に表示されるメニュー画面例を示す画面図である。
【図１０】第２の実施形態に係る磁気データの復元処理を示すフローチャートである。
【図１１】第３の実施形態に係る磁気データの復元処理を示すフローチャートである。
【図１２】第４の実施形態に係る磁気データの復元処理を示すフローチャートである。
【図１３】第５の実施形態に係る磁気データの復元処理を示すフローチャートである。
【図１４】第６の実施形態に係る磁気データの復元処理を示すフローチャートである。
【図１５】第７の実施形態に係る磁気データの復元処理を示すフローチャートである。
【発明を実施するための形態】
【００１３】
（Ａ）第１の実施形態
以下では、本発明に係る取引装置及び磁気復元方法の第１の実施形態を、図面を参照しながら詳細に説明する。
【００１４】
（Ａ−１）第１の実施形態の構成
［取引システム］
図２は、第１の実施形態に係る取引システムの全体構成及び取引装置の外観構成を示す構成図である。
【００１５】
図２において、第１の実施形態に係る取引システム９０は、取引装置１０、ネットワーク回線５０、金融機関のホストコンピュータ３０、ネットワーク回線６０、他の金融機関のホストコンピュータ４０を有する。
【００１６】
図２の例では、それぞれ１台ずつの取引装置１０、ホストコンピュータ３０、ホストコンピュータ４０を示しているが、それぞれの台数は特に限定されない。
【００１７】
取引装置１０は、取引カードの挿入や排出を行なうカード入出口２ａ、通帳の挿入や排出を行なう通帳入出口４ａ、紙幣の挿入や排出を行う紙幣入出金口６ａ、硬貨の挿入や排出を行う硬貨入出金口７ａ、操作表示部３、音声ガイダンスや音等を出力するハンドセット１１を有する。
【００１８】
取引装置１０は、例えば、金融機関やコンビニエンスストアやスーパーマーケットや駅等に設置される。取引装置１０は、挿入された取引カードに搭載されている磁気ストライプ又はＩＣチップに格納されるカード情報を用いて、所望の取引処理を行なう。
【００１９】
取引装置１０は、ネットワーク回線５０を介して、ホストコンピュータ３０と接続する。ホストコンピュータ３０は、取引装置１０を管理する金融機関が運用するものである。
【００２０】
取引装置１０は、顧客操作により取引内容を含む取引要求電文をホストコンピュータ３０に送信する。ホストコンピュータ３０は、取引装置１０から取引内容を含む取引要求電文を取得し、取引要求電文に対する応答電文を取引装置１０に返信する。取引装置１０は、ホストコンピュータ３０からの応答電文に従って取引処理を実行する。なお、ホストコンピュータ３０は、少なくとも、銀行コード、店コード、口座番号、顧客の氏名、取引履歴などの情報を記憶している。
【００２１】
またホストコンピュータ３０は、ネットワーク回線６０を介して、他の金融機関のホストコンピュータ４０と接続している。
【００２２】
ホストコンピュータ４０は、他の金融機関のホストコンピュータである。この実施形態では、ホストコンピュータ４０が、クレジットカード発行会社が運用するものである場合を想定して説明する。
【００２３】
例えば、取引装置１０を使用する顧客が、クレジットカードを利用してクレジット発行会社との間で取引をする場合、金融機関のホストコンピュータ３０は、取引装置１０から取得した取引内容を含む取引要求電文を、クレジットカード発行会社のホストコンピュータ４０に送信する。クレジットカード発行会社のホストコンピュータ４０は、金融機関のホストコンピュータ３０からの取引要求電文に対して応答電文を返信する。ホストコンピュータ３０は、応答電文を取引装置１０に送信する。取引装置１０は、受信した応答電文に従って取引処理を実行する。なお、ホストコンピュータ４０は、顧客の氏名、クレジットカード番号、クレジットカード有効期限、クレジットカードの引き落とし口座に係る金融機関コード、店コード、口座番号、当該口座の氏名等を記憶している。なお、かかる例に限定されず、例えば、クレジットカードに関する取引の場合、取引装置１０がホストコンピュータ４０に直接に取引要求電文を送信しても良い。
【００２４】
［取引装置］
図１は、第１の実施形態に係る取引装置１０の制御系の構成を示す構成図である。
【００２５】
図１において、第１の実施形態に係る取引装置１０は、制御部１、カード処理部２、操作表示部３、通帳処理部４、明細票処理部５、紙幣入出金部６、硬貨入出金部７、通信部８、記憶部９、音声ガイダンスや音等を出力するハンドセット１１を有する。
【００２６】
カード処理部２は、カード入出口８ａから挿入された取引カード１００を取り込み、取引カード１００に搭載されている磁気ストライプ及び／又はＩＣチップからカード情報を読み取り、その読み取ったカード情報を制御部１に与えるものである。
【００２７】
カード処理部２は、挿入された取引カード１００の磁気ストライプから磁気データを読み取ったり、磁気データを磁気ストライプに書き込んだりする磁気リードライト部２１と、取引カード１００のＩＣチップ１３０を活性化させてＩＣチップ１３０からカード情報を読み取るＩＣ読取部２２とを有する。カード処理部２は、磁気データの読み取りができなくなった磁気ストライプを復元するものである。カード処理部２の構成の詳細な説明は後述する。また、第１の実施形態に係るカード処理部２による磁気ストライプの復元は、全部又は一部の磁気ストライプを復元すること、又は取引の支障がないように復元用の磁気データに加工等を施したものを磁気ストライプに書き込むことを意味する。さらに、一部の磁気ストライプの復元は、例えば、取引装置１０で取引する際に支障が生じないようにするため復元用の磁気データの一部を修復した上で磁気ストライプに書き込むことを意味する。
【００２８】
通帳処理部４は、通帳入出口４ａ（図２参照）から挿入された通帳に印字を行うものである。また、通帳処理部４は、通帳に付与されている磁気記録情報の読取りや書込みをするリードライト手段、通帳の頁行の検出手段、改頁手段を有する。なお、この実施形態では、取引装置１０が通帳処理部４を備える場合を例示しているが、この例に限定されず、例えば、取引装置１０は通帳処理部４を備えない場合でも良い。
【００２９】
明細票処理部５は、取引内容情報（例えば、取引年月日、金額等）を用紙に印字して明細票を発行する。
【００３０】
紙幣入出金部６は、入金の場合、紙幣入出金口６ａから投入された紙幣の真偽鑑別及び紙幣枚数の計数を行ない、図示しないスタッカ等に紙幣を搬送する。また、紙幣入出金部６は、出金の場合、スタッカから紙幣の繰り出しや搬送を行ない、紙幣の真偽鑑別及び計数を行ない、紙幣入出金口６ａに排出する。なお、この実施形態では、取引装置１０が、紙幣の入金及び出金を行なう紙幣入出金部６を備える場合を例示するが、例えば、紙幣入出金部６に代えて、紙幣の出金を行なう紙幣出金部としてもよい。例えば、紙幣の入金は不可だが、紙幣の出金は可とする場合でも良い。
【００３１】
硬貨入出金部７は、入金の場合、硬貨入出金口７ａから投入された硬貨枚数を計数し、図示しないスタッカ等に硬貨を収納する。また、硬貨入出金部７は、出金の場合、スタッカから繰り出された硬貨枚数を計数して硬貨入出金口７ａに排出する。なお、取引装置１０は、硬貨入出金部７を備える場合を例に挙げて、以下説明するが、かかる例に限定されず、例えば、取引装置１０は上記硬貨入出金部７を備えない場合でも良い。
【００３２】
操作表示部３は、顧客による取引入力するためのタッチパネルやテンキーなどの入力部と、取引種別選択画面や誘導画面や入力情報を含む画面や操作キー等を表示するための表示部を有する。
【００３３】
制御部１は、取引装置１０において実行可能な処理を司る部分である。第１の実施形態に係る制御部１の主な機能は、磁気情報確認部１ａ、券面情報確認部１ｂ、端子確認部１ｃ、ＩＣ情報読取部１ｄ、磁気情報復元部１ｅ、取引処理部１ｆを有する。
【００３４】
磁気情報確認部１ａは、カード処理部２の磁気リードライト部２１から、取引カード１００の磁気ストライプに格納されている磁気データに基づくカード情報を解析するものである。
【００３５】
券面情報確認部１ｂは、画像読取部２０３により読み取られた取引カード１００の上側券面のイメージ画像（カードイメージとも呼ぶ。）から、取引カード１００の上側券面に記載されている情報を読み取ったり、読み取ったイメージ画像の記憶処理等を行なったりする。ここで、「上側券面」は、顧客により取引カード１００がカード入出口２ａに挿入された際、その挿入された状態の取引カード１００の上側の券面をいう。
【００３６】
端子確認部１ｃは、取引カード１００の上側券面のイメージ画像から、予め設定された、ＩＣチップ１３０の位置を含む部分領域の画像を解析して、ＩＣチップ１３０のＩＣ端子部の存在を確認するものである。端子確認部１ｃは、例えば、予め記憶されたＩＣチップ１３０のＩＣ端子部のイメージ画像パターンとのマッチングなどにより、部分領域の画像がＩＣ端子部を含んでいるか否かを確認する方法を適用できる。
【００３７】
ＩＣ情報読取部１ｄは、ＩＣチップ１３０のＩＣ端子部が存在する場合に、ＩＣ接点部２０４をＩＣチップ１３０のＩＣ端子部に電気的に接触させて、ＩＣ接点部２０４をＩＣチップに格納されているＩＣ情報を取得するものである。
【００３８】
磁気情報復元部１ｅは、磁気情報確認部１ａにより磁気ストライプに磁気不良が発生していると判断されたときに、磁気ストライプに格納する磁気情報を取得して、磁気ストライプに磁気データを書き込む。
【００３９】
その後、再度、磁気情報復元部１ｅは、磁気ストライプ１１０又は１４０に格納されている磁気データを読み取り、その読み取った磁気情報と書き込んだ磁気情報とが一致するか否かを確認して、正常に磁気情報を復元したか否かを判断する。なお、磁気情報復元部１ｅが磁気ストライプに書き込む磁気情報の取得方法の詳細な説明は動作の項で行なう。また、磁気情報復元部１ｅは、例えば、上記書き込んだ磁気情報と読み取った磁気情報とが一致するか否かの確認処理を省略する場合でも良い。
【００４０】
取引処理部１ｆは、取引装置１０が実行可能な各種取引処理を行なう。取引処理部１６５は、例えば、入金取引、出金取引、残高確認処理、通帳記入処理、振込処理などを行なう。取引処理部１６５は、磁気情報又はＩＣ情報から、取得したカード情報と入力された暗証番号及び取引に係る情報を含む取引情報をホストコンピュータ３０との間で授受することにより取引を実行する。
【００４１】
通信部８は、上位装置であるホストコンピュータ３０と接続するためのインタフェース部である。
【００４２】
記憶部９は、取引装置１０において実施された取引内容に係る情報を記憶するものである。
【００４３】
［取引カード］
次に、この実施形態に係る取引装置１０において利用される取引カード１００の構成を、図面を参照しながら詳細に説明する。
【００４４】
取引カード１００は、クレジットカード機能が搭載されたクレジット一体型ＩＣキャッシュカードである場合を想定して説明するが、かかる例に限定されるものではない。
【００４５】
図３は、取引カード１００の表面（第１面）の構成を示す構成図である。図４は、取引カード１００の裏面（第２面）の構成を示す構成図である。
【００４６】
図３に示すように、取引カード１００の表面には、クレジットカード用の磁気ストライプ（以下、「第１のクレジット磁気ストライプ」とも呼ぶ。）１１０、キャッシュカード用磁気ストライプ（以下、「キャッシュ磁気ストライプ」とも呼ぶ。）１２０、ＩＣチップ１３０が設けられている。
【００４７】
図４に示すように、取引カード１００の裏面には、クレジットカード用の磁気ストライプ（以下、「第２のクレジット磁気ストライプ」とも呼ぶ。）１４０が設けられている。なお、図４では、点線でＩＣチップ１３０を示しているが、これは、取引カード１００を裏面にしたときに、表面にあるＩＣチップ１３０の位置が分かるようにするために示しているにすぎず、裏面にはＩＣチップ１３０のＩＣ端子部はないものとする。
【００４８】
図３に示すように、例えば、クレジットカード又はキャッシュカードとして取引カード１００を利用する場合、取引カード１００は第１の方向で取引装置１０に挿入され、キャッシュカードとして取引カード１００を利用する場合、取引カード１００は第２の方向で取引装置１０に挿入される。なお、上記挿入方向として第１の方向と第２の方向と共にキャッシュカード利用可能となっている。これは、例えば、第１の方向の場合、主にＩＣチップ１３０を用いて取引処理が行なわれ、また第２の方向の場合、主に磁気ストライプ１２０を用いた取引処理が行なわれるが、かかる例に限定されない。例えば、第２の方向の場合に、ＩＣチップ１３０を用いた取引処理が行なわれても良い。
【００４９】
ここで、取引カード１００に搭載する磁気ストライプへのデータ記録方法には、主として、通称「ＪＩＳ  Ｉ型」と「ＪＩＳ  ＩＩ型」の種類が使用されている。
【００５０】
「ＪＩＳ  Ｉ型」及び「ＪＩＳ  ＩＩ型」は共に、例えば、Ｆ２Ｆ（Ｔｗｏ  Ｆｒｅｑｕｅｎｃｙ  Ｃｏｈｅｒｅｎｔ  Ｐｈａｓｅ  Ｅｎｃｏｄｉｎｇ）と呼ばれる記録方法でデータを記録する。同一トラックにデータとクロックを合成して記録する方法であり、クロック間で磁束の反転があれば「０」、磁束の反転がなければ「１」を意味する。
【００５１】
「ＪＩＳ  Ｉ型」には３つのトラックがあり、トラック＃１は７ビットを格納でき、トラック＃２及びトラック＃３は５ビットを格納できるのに対して、「ＪＩＳ  ＩＩ型」は８ビットを格納できる。また、記録する文字数は、「ＪＩＳ  Ｉ型」のトラック＃１が最大７９文字、トラック＃２は最大４０文字、トラック＃３は最大１０７文字であるが、「ＪＩＳ  ＩＩ型」は最大７２文字である。
【００５２】
「ＪＩＳ  Ｉ型」は、例えば国際的なクレジットカード発行会社等のクレジットカード情報を記録するときに利用される規格であり、カードの裏面に設けられる。「ＪＩＳ  ＩＩ型」は、例えば日本国の各銀行や信販会社等の情報を記録する際に多く利用される規格であり、カードの表面に設けられる。
【００５３】
つまり、図３に示す、第１のクレジット磁気ストライプ１１０と、キャッシュ磁気ストライプ１２０とは、取引カード１００の表面に設けられている「ＪＩＳ  ＩＩ型」のものである。
【００５４】
図４に示す、第２のクレジット磁気ストライプ１４０は、取引カードの裏面に設けられている「ＪＩＳ  Ｉ型」のものとする。
【００５５】
「ＪＩＳ  ＩＩ型」の第１のクレジット磁気ストライプ１１０には、クレジットカードに関する情報１１０ａが磁気データとして記録されている。より具体的には、クレジット口座情報が格納されており、例えば、クレジットカード発行会社、クレジット番号、有効期限、氏名等が格納されている。
【００５６】
「ＪＩＳ  ＩＩ型」のキャッシュ磁気ストライプ１２０には、金融機関の口座に関する情報１２０ａが磁気データとして記録されている。より具体的には、金融機関口座情報が格納されており、例えば、金融機関コード、店コード、口座番号、氏名等が格納されている。
【００５７】
「ＪＩＳ  Ｉ型」の第２のクレジット磁気ストライプ１４０には、クレジットカードに関する情報が磁気データとして記録されている。より具体的には、クレジット口座情報が格納されており、例えば、クレジットカード発行会社、クレジット番号、有効期限、氏名等が格納されている。なお、「ＪＩＳ  Ｉ型」は、「ＪＩＳ  ＩＩ型」よりも多くの文字数を記録できる可能性がある。
【００５８】
ＩＣチップ１３０は、ＣＰＵ、ＲＯＭ、ＲＡＭ、ＥＥＰＲＯＭ等を有する装置であり、ＣＰＵがＲＯＭに格納される処理プログラムを実行することができる。
【００５９】
図３に示すように、ＲＯＭに格納される処理プログラム（アプリケーション）には、キャッシュＩＣアプリケーション（以下、「キャッシュ用アプリケーション」とも呼ぶ。）１３１と、クレジットＩＣアプリケーション（以下、「クレジット用アプリケーション」とも呼ぶ。）１３２がある。なお、図３には図示しないが、ＩＣチップ１３０が実行する機能に応じて他のアプリケーションが格納されるようにしてもよい。
【００６０】
キャッシュ用アプリケーション１３１は、キャッシュカードを用いた取引処理に対応するアプリケーションである。キャッシュ用アプリケーション１３１は、例えば全国銀行協会（以下、「全銀協」とも呼ぶ。）が採用している金融取引に関する仕様に対応するものを適用できる。キャッシュ用アプリケーション１３１には、データを格納する記憶領域１３１ａがある。この記憶領域１３１ａには、本人認証に必要な鍵情報、本人認証に関連する情報（例えば、暗証番号、生体認証情報など）、自行／他行含め、ＩＣキャッシュカード、ＩＣクレジットカード、又はクレジット一体型取引カード等のカード種類を判定するのに使われる有効性情報や、顧客情報（例えば、銀行コード、店コード、口座番号、氏名等）が格納される。
【００６１】
クレジット用アプリケーション１３２は、クレジットカードを利用した取引処理に対応するアプリケーションである。クレジット用アプリケーション１３２は、例えば、主要なクレジットカード発行会社が採用しているＥＭＶ仕様に対応するものを適用できる。クレジット用アプリケーション１３２には、データを格納する記憶領域１３２ａがある。この記憶領域１３２ａには、本人認証に必要な鍵情報、本人認証に関連する情報（例えば、暗証番号、生体認証情報など）、顧客情報（例えば、クレジットカード発行会社、クレジット番号、有効期限、氏名、クレジレットカードの引き落とし金融機関の銀行コード、店コード、口座番号、氏名等）が格納される。
【００６２】
［カード処理部］
図５は、実施形態に係るカード処理部２の構成を示す構成図である。
【００６３】
図５において、実施形態に係るカード処理部２は、カード入出口２ａから取引装置１０の奥側（図５では右側）に向けて設けられた搬送路２０６に沿って、カード検知部２０１ａ及び２０１ｂ、磁気ヘッド部２０２、画像読取部２０３、ＩＣ接点部２０４、磁気ヘッド部２０７を有する。
【００６４】
また、搬送路２０６には、奥側方向若しくはカード入出口２ａ側方向に、取引カード１００を搬送する複数の搬送ローラ部２０５が設けられている。
【００６５】
カード検知部２０１ａ及び２０１ｂは、カード入出口２ａから挿入された取引カード１００を検知するものである。例えば、カード検知部２０１ａ及び２０１ｂは、送光器と受光機とを有する光学センサを用いることができる。カード検知部２０１ａ及び２０１ｂは、挿入された取引カード１００を検知するため、カード入出口２ａから少し奥方の位置に配置されることが好ましい。
【００６６】
なお、カード検知方法はかかる例に限定されない。例えば、カード検知部２０１ａ及び２０１ｂは、磁気ストライプ有する取引カード１００を検知する磁気センサの場合でもよい。また例えば、カード検知部２０１ａ及び２０１ｂのうち磁気センサとしてカード検知部２０１ａのみ備わる場合でも良く、この場合、当該カード検知部２０１ａはＪＩＳ  ＩＩ型の磁気ストライプを有する取引カード１００を検知する。
【００６７】
また例えば、磁気センサとしてのカード検知部２０１は、カード入出口２ａ付近に存在し、取引カード１００の先端部が挿入された段階で磁気ストライプの有を検知し、搬送ローラ２０５が駆動しても良い。また、上記磁気センサは、例えば、カード入出口２ａ付近の磁気ストライプを検知可能な位置に少なくとも１つ備わっても良い。すなわち、磁気センサは、磁気ストライプ１１０、１２０、又は１４０のうち少なくとも１つを検知可能とし、少なくとも１つ、最大３つの磁気センサが備えるようにしてもよい。さらに、当該磁気センサによる磁気ストライプの検知の有無により、例えば、磁気センサにより磁気ストライプ１１０、１４０が検知された場合、ＩＣクレジットカードと判定される等、挿入される取引カード１００のカード種類が判定されても良い。または、上記磁気センサの代わりとして、磁気ヘッド部２０２，２０７が磁気ストライプを読み取れたか否かによって、挿入される取引カード１００のカード種類が判定されても良い。かかるカード種類が判定されることで、制御部１は、例えば、どのアプリケーションを起動させれば良いか効率的に判断することが可能となる。
【００６８】
磁気ヘッド部２０２は、制御部１からの指令を受けた磁気リードライト部２１の制御により、挿入された取引カード１００の表面に付与されている磁気ストライプ（第１のクレジット磁気ストライプ１１０及び／又はキャッシュ磁気ストライプ１２０）から磁気データを読み取ったり、磁気データを書き込んだりするものである。磁気ヘッド部２０２は、例えば、搬送路２０６の上部であって、搬送路２０６を走行する取引カード１００の磁気ストライプの位置に対応する位置に設けられている。
【００６９】
磁気ヘッド部２０７は、制御部１からの指令を受けた磁気リードライト部２１の制御により、挿入された取引カード１００の裏面に付与されている磁気ストライプ（第２のクレジット磁気ストライプ１４０）から磁気データを読み取ったり、磁気データを書き込んだりするものである。磁気ヘッド部２０７は、例えば、搬送路２０６の下部であって、搬送路２０６を走行する取引カード１００の磁気ストライプの位置に対応する位置に設けられている。なお、磁気ヘッド部２０７は必須要素としなくてもよい。
【００７０】
画像読取部２０３は、挿入された取引カード１００のカード表面（上側券面）の略全領域のイメージ画像を読み取るものである。例えば、画像読取部２０３は、搬送路２０６の上部に設けられている。そのため、画像読取部２０３は、搬送路２０６を搬送する取引カード１００の上側券面のイメージ画像を読み取る。制御部１は、画像読取部２０３により読み取られた、取引カード１００の上側券面のイメージ画像から、取引カード１００のＩＣチップ１３０のＩＣ端子部が設けられているか否かを判断することができる。また、イメージ画像にＩＣチップのＩＣ端子部がある場合、制御部１は、取引カード１００の上側券面におけるＩＣチップ１３０のＩＣ端子部１０２の位置も認識することができる。
【００７１】
ＩＣ接点部２０４は、制御部１からの指令を受けたＩＣ読取部２２の制御により、挿入された取引カード１００に付されているＩＣチップ１３０のＩＣ端子部と電気的に接触して、ＩＣチップ１３０に格納されている情報を読み取るものである。例えば、ＩＣ接点部２０４は搬送路２０６の上部に設けられており、ＩＣ接点部２０４は搬送路２０６に対して垂直方向（上下方向）に可動可能である。そのため、ＩＣチップ１３０のＩＣ端子部と電気的な接触をするときには、搬送されてきた取引カード１００の搬送を停止し、ＩＣ接点部２０４が下方向に移動して、ＩＣ接点部２０４がＩＣチップ１３０のＩＣ端子部に電気的に接触する。また、格納情報の読み取りが終了すると、ＩＣ接点部２０４が上昇し、ＩＣ接点部２０４がＩＣチップ１３０のＩＣ端子部から離れる。
【００７２】
（Ａ−２）第１の実施形態の動作
図６は、第１の実施形態に係る磁気データの復元処理を示すフローチャートである。
【００７３】
ここでは、取引装置１０が実行することができるメニュー画面から、顧客が磁気情報の復元ボタンを選択して、取引装置１０が、取引カード１００の表面にあるＪＩＳ  ＩＩ型の第１のクレジット磁気ストライプ１１０の磁気データを復元する場合を例示する。
【００７４】
図９は、取引装置１０の操作表示部３に表示されるメニュー画面例を示す画面図である。図９に示すように、操作表示部３に表示されるメニュー画面５００１には、取引カード１００の磁気ストライプ（第１のクレジット磁気ストライプ１１０）の磁気データを復元処理するカード情報復元ボタン５００２がある。
【００７５】
なお、図９に示すメニュー画面５００１には、カード情報復元ボタン５００２のみが表示される場合を例に挙げて、以下説明するが、かかる例に限定されない。例えば、メニュー画面５００１に、お振込みボタン、お預入れボタンなど各取引を選択するための取引ボタンが、上記カード情報復元ボタン５００２と共に表示される場合でも良い。また例えば、ハンドセット１１は、上記カード情報復元ボタン５００２の表示と共に、若しくは、磁気データを復元処理するための音声ガイダンスを単独で出力しても良い。
【００７６】
［Ｓ１０１］
顧客によりカード情報復元ボタン５００２が選択されると、取引カード１００を挿入させる画面（図示しない）が操作表示部３に表示され、取引カード１００が、第１方向でカード入出口２ａに挿入される。
【００７７】
取引カード１００の挿入方向は、例えば、画像読取部２０３が読み取ったイメージ画像に基づいて判断するようにしてもよい。例えば、取引カード１００の表面に設けられるＩＣチップ１３０のＩＣ端子部の位置は規格化されており、ＩＣ端子部は、第１方向（正方向）に挿入された取引カード１００の左側の位置と決まれている。従って、画像読取部２０３により撮像されたイメージ画像から、ＩＣチップ１３０のＩＣ端子部の位置が規定の位置にある場合には、第１方向（正方向）で取引カードが挿入され、ＩＣ端子部がない場合には、第１方向（正方向）で挿入されなかったと判断できる。
【００７８】
なお、第２方向で取引カード１００がカード入出口２ａに挿入された場合、例えば、取引装置１０は取引カード１００を一度返却して処理を終了してもよい。また例えば、取引装置１０は、第１方向で取引カード１００の再挿入を要求し、タイムアウト時間内に挿入された場合には、処理を引き続き行ない、タイムアウト時間を経過したとき処理を終了するようにしてもよい。
【００７９】
［Ｓ１０２］
挿入された取引カード１００は、画像読取部２０３により当該取引カード１００の上側券面のほぼ全領域のイメージ画像を読み取る。取引カード１００のイメージ画像を全て読み取った後、搬送路２０６上で停止し待機する。取引カード１００のイメージデータは制御部１６に与えられる。なお、かかる例に限定されず、例えば、取引カード１００のイメージ画像を読み取る処理（Ｓ１０２）は省略しても良い。
【００８０】
［Ｓ１０３］
取引カード１００は、磁気ヘッド部２０２により磁気データが読み取られ、その磁気データが磁気リードライト部２１に与えられ、その磁気データが制御部１に与えられる。
【００８１】
例えば、第１のクレジット磁気ストライプ１１０に磁気不良が生じている場合、磁気データが消磁してしまい、正常に磁気データを読み取ることができないことが生じ得る。
【００８２】
磁気データが正常に読み取れた場合、磁気データの復元は不要であるので、Ｓ１１０に進み、取引カード１００が返却されて処理は終了する。磁気データが正常に読み取れない場合、磁気データの復元が必要となるので、Ｓ１０４に進む。
【００８３】
［Ｓ１０４］
磁気データに異常がある場合、制御部１は、画像読取部２０３により読み取られたイメージ画像から、取引カード１００のＩＣ端子部付近のイメージ認識を行ない、当該取引カード１００にＩＣチップ１３０が搭載されているか否かを行なう。
【００８４】
すなわち、制御部１は、取引カード１００の搬送誤差等を考慮したＩＣ端子部の認識領域のイメージ画像を判断し、当該取引カード１００にＩＣ端子部が存在するか否かイメージ解析を行なう。そして、イメージ画像においてＩＣチップ１３０のＩＣ端子部を認識した場合、Ｓ１０５に進み、ＩＣチップ１３０のＩＣ端子部を認識できない場合、Ｓ１０４に進む。
【００８５】
なお、かかる例に限定されず、例えば、制御部１は、ＩＣ読取部２２によるＩＣチップ１３０の活性化の結果に基づいてＩＣ端子部の認識の成否を判断しても良い。この場合、例えば、まずはキャッシュ用アプリケーション１３１が起動され、ＩＣチップ１３０の記憶領域１３１aからキャッシュ用のデータを取得できた場合はＩＣ端子部を認識したと判断できるので、イメージ解析による認識処理を省略できる。
【００８６】
さらに例えば、制御部１は、上記取得したデータに含まれる有効性情報に基づいて、挿入された取引カード１００が、例えば、クレジット一体型取引カードであるかなどのように、カード種類を特定しても良い。または、制御部１は、例えば、磁気ストライプ１１０、１２０、及び１４０のうちどの磁気ストライプが検知されるのかに応じて、カード種類が特定されても良い。
【００８７】
［Ｓ１０５〜Ｓ１０７］
図７は、第１の実施形態に係るＩＣチップ１３０からのクレジット口座情報の取得処理を示すシーケンス図である。
【００８８】
Ｓ１０５〜Ｓ１０７の処理は、図７も参照しながら詳細に説明する。
【００８９】
ＩＣチップ１３０に搭載されているアプリケーションのうち、クレジット用アプリケーション１３２を起動させて、ＩＣチップ１３０からクレジット口座情報を取得するため、制御部１は、磁気情報復元部１ｅに情報取得要求を行なう（図７のＳ１１）。
【００９０】
なお、ステップＳ１０５にてクレジット用アプリケーション１３２が起動されるときに、例えば、事前に取引カード１００のカード種類が特定された上で、クレジット用アプリケーション１３２が起動されても良い。カード種類を予め把握しておけば、どのアプリケーションをまずは起動させれば良いか、容易に判断することが可能となり、処理の迅速化が図れる。
【００９１】
ここで、制御部１は、本人認証のために、暗証番号を用いた認証処理を行なうようにしてもよい。つまり、操作表示部３には、暗証番号入力画面が表示され、顧客に暗証番号を入力させる。そして、入力された暗証番号が正当である場合に、ＩＣチップ１３０のクレジット用アプリケーションを起動させるようにしてもよい。また、ここでは暗証番号を用いた本人認証を行なう場合を例示したが、例えば生体認証情報を用いた本人認証を行なうようにしてもよい。
【００９２】
制御部１から情報取得要求を受けた磁気情報復元部１ｅは、ＩＣチップ１３０に対してクレジット用アプリケーション１３２への切替指令を通知し（Ｓ１２）、ＩＣチップ１３０からＯＫが通知され（Ｓ１３）、クレジット用アプリケーション１３２が起動する（Ｓ１０５）。なお、もしステップＳ１３でＯＫの通知がされなかった場合又はＯＫ以外の通知がされた場合、例えば、磁気情報復元部１ｅは、制御部１にエラーの返答（図示せず。）をしても良い、その際、制御部１は、例えば、挿入された取引カード１００はクレジット用アプリケーション１３２が起動できないと判断し、カード種類が、例えばＩＣキャッシュカードの可能性があるため、処理を中止しても良い。
【００９３】
ＩＣチップ１３０においてクレジット用アプリケーション１３２が起動すると、磁気情報復元部１ｅは、ＩＣチップ１３０のクレジット用アプリケーション１３２において格納されている、第１のクレジット磁気ストライプ１１０の磁気データとして利用できるクレジット口座情報を読み出す（Ｓ１４）。
【００９４】
そして、ＩＣチップ１３０のクレジット用アプリケーション１３２からクレジット口座情報が読み出されると（Ｓ１５）、磁気情報復元部１ｅは、取得したクレジット口座情報を制御部１に通知する（Ｓ１６）。
【００９５】
これにより、制御部１は、ＩＣチップ１３０のクレジット用アプリケーション１３２からクレジット口座情報を取得することができる（Ｓ１０６）。
【００９６】
ここで、制御部１は、ＩＣチップ１３０から取得したクレジット口座情報を解析して、当該クレジット口座情報が、第１のクレジット磁気ストライプ１１０に格納するカード情報として適切であるか否かを判断し、又は磁気ストライプ１１０に格納可能なカード情報にするため必要に応じて当該クレジット口座情報を加工／編集等するようにしてもよい。
【００９７】
例えば、ＩＣチップ１３０から取得したクレジット口座情報の内、有効期限が過ぎている場合には、そのクレジットカードは利用できないので、その場合には、第１のクレジット磁気ストライプ１１０に格納できないものと判断する。
【００９８】
また例えば、制御部１は、ＩＣチップ１３０のキャッシュ用アプリケーション１３１のキャッシュカードに関する情報と、ＩＣチップ１３０から取得したクレジット用アプリケーション１３２のクレジットカードに関する情報とを比較し、キャッシュカードの氏名とクレジットカードの氏名が異なるときには、第１のクレジット磁気ストライプ１１０に格納できないものと判断してもよい。
【００９９】
制御部１は、ＩＣチップ１３０のクレジット用アプリケーション１３２から取得したクレジット口座情報に基づいて、第１のクレジット磁気ストライプ１１０への磁気データの書き込み指令を磁気情報復元部１ｅに行なう（Ｓ１７）。
【０１００】
磁気情報復元部１ｅは、磁気リードライト部２１に対して、ＩＣチップ１３０のクレジット用アプリケーション１３２から取得したクレジット口座情報に基づいて磁気データを生成させる。
【０１０１】
そして、ＩＣチップ１３０のクレジット用アプリケーション１３２から取得したクレジット口座情報に基づいて磁気データが、磁気ヘッド部２０２を通じて、第１のクレジット磁気ストライプ１１０に書き込まれる（Ｓ１８）。
【０１０２】
これにより、第１のクレジット磁気ストライプ１１０において磁気データが復元する（Ｓ１０７）。
【０１０３】
磁気データが第１のクレジット磁気ストライプ１１０書き込まれると、ＯＫが磁気情報復元部１ｅに通知され（Ｓ１９）、さらにＯＫが制御部１に通知される（Ｓ２０）。
【０１０４】
ここで、ＩＣチップ１３０には、キャッシュ用アプリケーション１３１と、クレジット用アプリケーション１３２と有するアプリケーションが搭載されている。
【０１０５】
取引装置１０では全銀協が採用している仕様方式が、デフォルトとなっている。そのため、ＩＣチップ１３０のクレジット用アプリケーション１３２にアクセスするためには、全銀協の仕様方式からＥＭＶ仕様方式に切り替える必要があり、その後、ＥＭＶ仕様方式でＩＣチップ１３０にアクセスして、クレジット用アプリケーション１３２からクレジット口座情報を取得する必要がある。
【０１０６】
例えば、ソフトウェア処理でＩＣチップ１３０へのアクセス方法をＥＭＶ仕様方式に切り替えて、ＩＣチップ１３０からクレジット口座情報を取得するような場合、図８に例示する方法が考えられる。
【０１０７】
つまり、図８の例の場合、まず、アプリケーションとして機能する制御部１からクレジット用アプリケーション切替指令が磁気情報復元部１ｅに通知され、さらに磁気情報復元部１ｅがクレジット用アプリケーション切替指令を通知して、ＩＣチップ１３０のクレジット用アプリケーション１３２を起動させる（Ｓ９０１〜Ｓ９０４）。次に、クレジット口座情報の読込指令が磁気情報復元部１ｅに送信され、磁気情報復元部１ｅがクレジット口座情報の読込指令をＩＣチップ１３０に通知する（Ｓ９０５〜Ｓ９０８）。そして、磁気データの書き込み指令が磁気情報復元部１ｅに送信され、磁気情報復元部１ｅが磁気書き込み指令をＩＣチップ１３０に通知する（Ｓ９０９〜Ｓ９１３）。なお、もしステップＳ９０４でＯＫの通知がされなかった場合又はＯＫ以外の通知がされた場合、制御部１は、例えば、挿入された取引カード１００はクレジット用アプリケーション１３２が起動できないと判断し、カード種類がＩＣキャッシュカード等の可能性があるため、処理を中止しても良い。
【０１０８】
このように、図８の例の場合、ＩＣチップ１３０においてクレジット用アプリケーション１３２を起動させ、クレジット用アプリケーション１３２からクレジット口座情報を読み出し、第１のクレジット磁気ストライプ１１０に磁気データを書き込みさせる指令が必要となり、処理が複雑になってしまう。
【０１０９】
そこで、この実施形態では、図７に示すように、アプリケーションとして機能する制御部１が、磁気情報復元部１ｅに情報取得要求をキックすることのみで、ＩＣチップ１３０においてクレジット用アプリケーション１３２を起動させ、クレジット口座情報を読み出すようにする。これにより、複雑な処理を簡略化することができ、また、磁気データの復元処理に係る時間も短縮化することができる。なお、図７及び図８に示すシーケンス処理ともに、磁気データの復元という目的としては共通し、有効なものである。
【０１１０】
［Ｓ１０８］
ＩＣチップ１３０のクレジット用アプリケーション１３２からクレジット口座情報が取得でき、そのクレジット口座情報に基づいて第１のクレジット磁気ストライプの磁気データを復元した後、制御部１は、復元した磁気データが正常に復元されたか否かを確認する。
【０１１１】
磁気データの正常性の確認方法は、種々の方法を適用できる。
【０１１２】
例えば、再度、第１のクレジット磁気ストライプ１１０から磁気データを読み込み、磁気データが正常に読み込めるかを確認する方法としてもよい。
【０１１３】
また例えば、再度、第１のクレジット磁気ストライプ１１０から磁気データに基づくクレジット口座情報を読み込み、取引装置１０が、磁気データに基づくクレジット口座情報を、ホストコンピュータ３０（若しくはホストコンピュータ３０を経由させてホストコンピュータ４０）に送信する。そして、ホストコンピュータ３０（若しくはホストコンピュータ４０）において、クレジット口座情報が正しいものかを確認し、その確認結果に応じて、磁気データが正常であるか否かを確認するようにしてもよい。つまり、取引装置１０は、ホストコンピュータ３０（若しくはホストコンピュータ４０）にクレジット口座情報を確認させるようにしてもよい。
【０１１４】
なお、磁気データの復元後に正常に復元されたか否かを確認する場合を例に挙げて説明したが、かかる例に限定されず、例えば、磁気データが正常に復元されたか否かの確認を省略しても良い。
【０１１５】
［Ｓ１０９］
Ｓ１０８における磁気データの正常性の確認結果が操作表示部３に表示される。なお、上記操作表示部３に確認結果が表示される他に、例えば、ハンドセット１１に確認結果を音声で出力する、又は、明細票に上記確認結果が印刷される等の場合でも良い。また、例えば、上記確認結果が、操作表示部３、ハンドセット１１、及び明細票に出力されるのを省略しても良い。また、例えば、上記確認結果の代わりに、復元が完了した旨の復元結果が、操作表示部３、ハンドセット、及び明細票の少なくとも１つに出力されても良い。
【０１１６】
例えば、第１のクレジット磁気ストライプ１１０に磁気データを正常に復元できなかった場合には、その旨を含む表示画面が操作表示部３に表示されてもよい。このとき、表示画面は、第１のクレジット磁気ストライプ１１０への磁気データが正常に復元できなかったときに、クレジットカード発行会社に問い合わせる旨を含むものとしてもよい。
【０１１７】
また例えば、第１のクレジット磁気ストライプ１１０に磁気データを正常に復元できた場合には、その旨と共に返却した取引カード１００を受け取る旨を含む表示画面又は音声が、操作表示部３又はハンドセット１１に表示されるようにしてもよい。
【０１１８】
［Ｓ１１０］
取引カード１００の返却のため、取引カード１００がカード入出口３ａから排出される。なお、取引カード１００の返却の際、磁気ストライプ１１０の復元が行われた場合は、その旨が印字された明細票が出力されても良い。また、取引カード１００の返却の際、磁気ストライプ１１０が不良であるが、磁気ストライプ１１０の復元が行われなかった場合は、その旨が印字された明細票が出力されても良い。
【０１１９】
（Ａ−３）第１の実施形態の変形実施形態
上述した第１の実施形態では、第１のクレジット磁気ストライプ１１０に磁気不良が生じている場合に、第１のクレジット磁気ストライプ１１０の磁気データを復元するときを例示した。
【０１２０】
しかし、磁気データの復元する対象は、第１のクレジット磁気ストライプ１１０に限定されるものではなく、取引カード１００の裏面に設けられている第２のクレジット磁気ストライプ１４０であってもよい。
【０１２１】
また、磁気データを復元するための元データは、例えば、ＩＣチップ内にあるデータ又はイメージ解析した結果を基に取引装置１０がホストコンピュータ３０又はホストコンピュータ４０にアクセスすることで、当該ホストコンピュータ３０又はホストコンピュータ４０から取得されてもよい。
【０１２２】
また、例えば、顧客によるカード情報復元ボタン５００２の選択は省略されても良い。つまり、上記カード情報復元ボタン５００２の選択に先行して、取引カード１００がカード入出口２ａに挿入されることで、当該カード情報復元ボタン５００２の選択が省略されても良い。
【０１２３】
（Ａ−４）第１の実施形態の効果
以上のように、第１の実施形態によれば、例えば、クレジット一体型取引カード等の磁気ストライプにおいて磁気不良が生じてしまい、正常に磁気データを読み出せない場合に、ＩＣチップに搭載されているクレジット口座情報を読み出し、このクレジット口座情報に基づいて、第１のクレジット磁気ストライプの磁気データを復元することができる。
【０１２４】
（Ｂ）第２の実施形態
次に、本発明に係る取引装置及び磁気復元方法の第２の実施形態を、図面を参照しながら詳細に説明する。
【０１２５】
（Ｂ−１）第２の実施形態の構成及び動作
第２の実施形態は、ＩＣチップ１３０のクレジット用アプリケーション１３２にアクセスできなかった場合、若しくは、クレジット用アプリケーション１３２にクレジット口座情報が存在していない場合に、取引装置１０がクレジットカード発行会社のホストコンピュータ４０にアクセスする。
【０１２６】
そして、取引装置１０がホストコンピュータ４０からクレジット口座情報を取得し、そのクレジット口座情報に基づく磁気データを第１のクレジット磁気ストライプ１１０に書き込み、第１のクレジット磁気ストライプを復元する方法を例示する。
【０１２７】
第２の実施形態においても、第１の実施形態の図１〜図５を用いて説明する。
【０１２８】
図１０は、第２の実施形態に係る磁気データの復元処理を示すフローチャートである。図１０では、第１の実施形態の図６と対応する処理については同一符号を付している。
【０１２９】
図１０においても、図６と同様に、顧客がメニュー画面から磁気情報の復元ボタンを選択して、取引装置１０が、ＪＩＳ  ＩＩ型の第１のクレジット磁気ストライプ１１０の磁気データを復元する場合を例示する。
【０１３０】
［Ｓ１０１〜Ｓ１０３］
顧客によりカード情報復元ボタン５００２が選択され、取引カード１００が、第１方向でカード入出口２ａに挿入される（Ｓ１０１）。
【０１３１】
挿入された取引カード１００は、画像読取部２０３により当該取引カード１００の上側券面のほぼ全領域のイメージ画像を読み取る。取引カード１００のイメージ画像を全て読み取った後、搬送路２０６上で停止し待機する。取引カード１００のイメージデータは制御部１６に与えられる（Ｓ１０２）。
【０１３２】
取引カード１００は、磁気ヘッド部２０２により磁気データが読み取られ、その磁気データが磁気リードライト部２１に与えられ、その磁気データが制御部１に与えられる（Ｓ１０３）。
【０１３３】
磁気データが正常に読み取れた場合、磁気データの復元は不要であるので、Ｓ１１０に進み、取引カード１００が返却されて処理は終了する。磁気データが正常に読み取れない場合、磁気データの復元が必要となるので、Ｓ２０１に進む。
【０１３４】
［Ｓ２０１］
磁気データに異常がある場合、制御部１は、画像読取部２０３により読み取られたイメージ画像から、当該取引カード１００にＩＣチップ１３０が搭載されているか否かを行なう。なお、第１の実施形態にて説明したように、例えば、イメージ画像を使わずにＩＣチップ１３０が搭載されているか否かを認識する場合でも良い。また、第１の実施形態にて説明したように、例えば、キャッシュ用のデータに含まれる有効性情報を基に挿入された取引カード１００がクレジット一体型取引カードであるか判定されても良い。
【０１３５】
そして、ＩＣ端子部が搭載されていることを認識した場合、制御部１は、ＩＣチップ１３０においてクレジット用アプリケーション１３２を起動させて、ＩＣチップ１３０からクレジット口座情報を読み取る。
【０１３６】
具体的には、図７で例示したように、磁気情報復元部１ｅは、アプリケーションとして機能する制御部１からの情報取得要求を受けると、ＩＣチップ１３０に対して、クレジット用アプリケーション１３２を起動させる。そして、磁気情報復元部１ｅは、ＩＣチップ１３０のクレジット用アプリケーション１３２からクレジット口座情報の読み込みを行なう。
【０１３７】
ここで、制御部１は、本人認証のために、暗証番号を用いた認証処理を行なうようにしてもよい。また例えば生体認証情報を用いた本人認証を行なうようにしてもよい。つまり、操作表示部３に表示される暗証番号入力画面上で、顧客により暗証番号が入力され、入力された暗証番号が正当である場合に、ＩＣチップ１３０のクレジット用アプリケーションを起動させるようにしてもよい。
【０１３８】
［Ｓ２０２］
ＩＣチップ１３０のクレジット用アプリケーション１３２において、第１のクレジット磁気ストライプ１１０に格納する磁気データとして利用することができるクレジット口座情報がある場合、Ｓ２０５に進む。この場合、第１の実施形態と同様の処理であるため、ここでの詳細な説明は省略する。
【０１３９】
ＩＣチップ１３０のクレジット用アプリケーション１３２において、第１のクレジット磁気ストライプ１１０に格納する磁気データとして利用することができるクレジット口座情報がない場合、Ｓ２０３に進む。
【０１４０】
ここで、第１のクレジット磁気ストライプ１１０に格納する磁気データとして利用することができるクレジット口座情報とは、例えば、ＪＩＳ  ＩＩ型の第１のクレジット磁気ストライプ１１０に格納するクレジット口座情報の一部又は全部が、ＩＣチップ１３０のクレジット用アプリケーション１３２に存在していない場合等が挙げられる。つまり、ＪＩＳ  ＩＩ型の磁気ストライプに対応した情報の一部又は全部が、ＩＣチップ１３０（クレジット用アプリケーション１３２）に格納されていない場合等が考えられる。
【０１４１】
［Ｓ２０３］
取引装置１０は、クレジットカード発行会社のホストコンピュータ４０と通信し、ホストコンピュータ４０に向けてクレジット口座情報の取得要求を送信する。
【０１４２】
具体的には、取引装置１０は、ホストコンピュータ４０と直接又はホストコンピュータ３０を介してホストコンピュータ４０と通信を行なう。従って、取引装置１０は、取引カード１００の第１のクレジット磁気ストライプ１１０に格納するクレジット口座情報の取得要求をホストコンピュータ３０又はホストコンピュータ４０に送信する。また、ホストコンピュータ３０は、取引装置１０からのクレジット口座情報の取得要求を受信した場合、当該取得要求をホストコンピュータ４０に送信する。
【０１４３】
ここで、取引装置１０は、ＩＣチップ１３０のクレジット用アプリケーション１３２から読み出したクレジットカードに関する情報（例えば、クレジットカード発行会社、カード番号、有効期限等の一部又は全部の情報）をホストコンピュータ４０に向けて、第１のクレジット磁気ストライプ１１０の復元に必要な情報を取得要求するようにしてもよい。つまり、クレジットカードを特定する情報として、ＩＣチップ１３０に格納されている情報を利用するようにしてもよい。
【０１４４】
なお、取引装置１０がホストコンピュータ４０にクレジット口座情報の取得要求をする際に、Ｓ２０１で取引装置１０が取得したクレジットカードの暗証番号若しくは生体認証情報に関する暗号化情報も一緒にホストコンピュータ４０に送信するようにしてもよい。
【０１４５】
［Ｓ２０４］
クレジットカード発行会社のホストコンピュータ４０から、クレジット口座情報の取得要求に対する応答情報が取引装置１０に受信される。
【０１４６】
そして、制御部１は、第１のクレジット磁気ストライプ１１０の磁気データとして利用できるクレジット口座情報が取得できたか否かを判断し、利用できるクレジット口座情報でなかった場合、Ｓ１１０に進む。
【０１４７】
第１のクレジット磁気ストライプ１１０の磁気データとして利用できるクレジット口座情報が取得できた場合、Ｓ２０５に進む。
【０１４８】
ここで、例えば、制御部１は、ホストコンピュータ４０から取得したクレジット口座情報のうち、有効期限が過ぎている場合には、第１のクレジット磁気ストライプ１１０に利用できないものと判断してもよい。
【０１４９】
［Ｓ２０５、Ｓ１０７］
制御部１は、クレジットカード会社のホストコンピュータ４０から取得したクレジット口座情報に基づいて、第１のクレジット磁気ストライプ１１０への磁気データの書き込み指令を磁気情報復元部１ｅに行なう（Ｓ２０５）。
【０１５０】
磁気情報復元部１ｅは、磁気リードライト部２１に、ＩＣチップ１３０のクレジット用アプリケーション１３２から取得したクレジット口座情報に基づいて磁気データを生成させる。そして、ＩＣチップ１３０のクレジット用アプリケーション１３２から取得したクレジット口座情報に基づいて磁気データが、磁気ヘッド部２０２を通じて、第１のクレジット磁気ストライプ１１０に書き込まれる（Ｓ１０７）。
【０１５１】
なお、Ｓ２０５のとき、ＩＣチップ１３０は、ＥＭＶ仕様のクレジット用アプリケーション１３２は起動しているのであれば、クレジット用アプリケーション１３２の起動処理（切替処理）は不要である。しかし、ＥＭＶ仕様のクレジット用アプリケーション１３２が起動していない場合、必要に応じて、クレジット用アプリケーション１３２の起動処理（切替処理）を行うようにしてもよい。
【０１５２】
［Ｓ１０８］
ホストコンピュータ４０から取得したクレジット口座情報に基づいて、第１のクレジット磁気ストライプの磁気データを復元した後、制御部１は、復元した磁気データが正常に復元された否かを確認する。
【０１５３】
［Ｓ１０９］
Ｓ１０８における磁気データの正常性の確認結果が操作表示部３に表示される。
【０１５４】
［Ｓ１１０］
取引カード１００の返却のため、取引カード１００がカード入出口３ａから排出される。
【０１５５】
（Ｂ−２−１）第２の実施形態の変形実施形態（その１）
上述した第２の実施形態では、クレジットカード発行会社のホストコンピュータ４０からクレジット口座情報を取得して、第１のクレジット磁気ストライプを復元する場合を例示した。
【０１５６】
しかし、クレジットカード会社のホストコンピュータ４０からクレジット口座情報を取得する場合に限定されるものではなく、金融機関のホストコンピュータ３０がクレジット口座情報又はこれに準ずる情報を持っている場合は、ホストコンピュータ３０からクレジット口座情報又はこれに準ずる情報を取得するようにしてもよい。
【０１５７】
例えば、クレジットカード発行会社が銀行等の金融機関に関連する系列会社とする場合がある。その場合、クレジットカード会社のホストコンピュータ４０で管理されるクレジット口座情報又はこれに準ずる情報（復元用のデータ）を、金融機関のホストコンピュータ３０が保持する場合がある。
【０１５８】
そのような場合に、取引装置１０は、クレジットカード会社のホストコンピュータ４０から復元用のデータを取得するのではなく、金融機関のホストコンピュータ３０から復元用のデータを取得するようにしてもよい。
【０１５９】
この場合、Ｓ２０３における処理で、取引装置１０は、ＩＣチップ１３０のクレジット用アプリケーション１３２に格納されているクレジットカードに関する情報に加えて、若しくは、このクレジットカードに関連する情報に変えて、キャッシュ用アプリケーション１３１に格納されているキャッシュカードに関する情報を、ホストコンピュータ３０に送信するようにしてもよい。
【０１６０】
（Ｂ−２−２）第２の実施形態の変形実施形態（その２）
上述した第２の実施形態では、第１のクレジット磁気ストライプ１１０に磁気不良が生じている場合に、第１のクレジット磁気ストライプ１１０の磁気データを復元するときを例示した。
【０１６１】
しかし、磁気データの復元する対象は、第１のクレジット磁気ストライプ１１０に限定されるものではなく、取引カード１００の裏面に設けられている第２のクレジット磁気ストライプ１４０であってもよい。
【０１６２】
また、クレジット用アプリケーション１３２からデータが読み出せない場合に限定されず、例えば、第１のクレジット磁気ストライプ１１０が不良である場合は、ホストコンピュータ３０、４０から復元用のデータを取引装置１０は取得しても良い。
【０１６３】
ＪＩＳ  Ｉ型の第２のクレジット磁気ストライプ１４０に格納させるカード情報は、ＪＩＳ  ＩＩ型の第１のクレジット磁気ストライプ１１０に格納させる情報と内容が異なり、また情報を格納させる位置が異なる。
【０１６４】
従って、ＩＣチップ１３０のクレジット用アプリケーション１３２には、ＪＩＳ  Ｉ型の第２のクレジット磁気ストライプ１４０に格納させるカード情報の全部が格納されていない場合も考えらえるが、この実施形態では、ホストコンピュータ４０からクレジット口座情報を取得できるので、第２のクレジット磁気ストライプ１４０を有効に復元することができる。
【０１６５】
（Ｂ−３）第２の実施形態の効果
以上のようにして、第２の実施形態によれば、例えば、クレジット一体型取引カード等の磁気ストライプにおいて磁気不良が生じてしまい、正常に磁気データを読み出せない場合に、ホストコンピュータ（ホストコンピュータ４０、３０のいずれか）から復元用のデータを取得し、この復元用のデータに基づいて、第１のクレジット磁気ストライプの磁気データを復元することができる。
【０１６６】
（Ｃ）第３の実施形態
次に、本発明に係る取引装置及び磁気復元方法の第３の実施形態を、図面を参照しながら詳細に説明する。
【０１６７】
（Ｃ−１）第３の実施形態の構成及び動作
第３の実施形態は、取引カード１００の裏面に設けられている第２のクレジット磁気ストライプ１４０からクレジット口座情報を取得し、そのクレジット口座情報に基づく磁気データを第１のクレジット磁気ストライプ１１０に書き込み、第１のクレジット磁気ストライプを復元する方法を例示する。
【０１６８】
第３の実施形態においても、第１及び第２の実施形態の図１〜図５を用いて説明する。
【０１６９】
図１１は、第３の実施形態に係る磁気データの復元処理を示すフローチャートである。図１１では、第１の実施形態の図６と対応する処理については同一符号を付している。
【０１７０】
［Ｓ１０１〜Ｓ１０３］
顧客によりカード情報復元ボタン５００２が選択され、取引カード１００が、第１方向でカード入出口２ａに挿入される（Ｓ１０１）。
【０１７１】
挿入された取引カード１００は、画像読取部２０３により当該取引カード１００の上側券面のほぼ全領域のイメージ画像を読み取る。取引カード１００のイメージ画像を全て読み取った後、搬送路２０６上で停止し待機する。取引カード１００のイメージデータは制御部１６に与えられる（Ｓ１０２）。
【０１７２】
取引カード１００は、磁気ヘッド部２０２により磁気データが読み取られ、その磁気データが磁気リードライト部２１に与えられ、その磁気データが制御部１に与えられる（Ｓ１０３）。
【０１７３】
磁気データが正常に読み取れた場合、磁気データの復元は不要であるので、Ｓ１１０に進み、取引カード１００が返却されて処理は終了する。磁気データが正常に読み取れない場合、磁気データの復元が必要となるので、Ｓ２０１に進む。
【０１７４】
［Ｓ３０１］
Ｓ１０１で挿入された取引カード１００は、磁気ヘッド部２０７により磁気データが読み取られ、その磁気データが磁気リードライト部２１に与えられ、その磁気データに基づくカード情報が制御部１に与えられる。
【０１７５】
つまり、取引カード１００の種類によっては、取引カード１００の裏面に、ＪＩＳ  Ｉ型の第２のクレジット磁気ストライプ１４０が設けられている場合がある。その場合、磁気ヘッド部２０７が、挿入された取引カード１００の裏面に設けられているＪＩＳ  Ｉ型の第２のクレジット磁気ストライプ１４０から磁気データを読み取る。なお、読み取られた第２のクレジット磁気ストライプ１４０には不良がないか否か確認されるが、かかる場合に限定されない。
【０１７６】
［Ｓ３０２］
制御部１は、ＪＩＳ  Ｉ型の第２のクレジット磁気ストライプ１４０から読み取った磁気データに基づくカード情報を、磁気リードライト部２１から取得すると、そのカード情報を解析する。
【０１７７】
そして、そのカード情報が、第１のクレジット磁気ストライプ１１０に格納する磁気データとして利用することができるクレジット口座情報があるか否かを判断する。
【０１７８】
ＪＩＳ  Ｉ型の第２のクレジット磁気ストライプ１４０から読み取った磁気データに基づくカード情報が、第１のクレジット磁気ストライプ１１０に格納する磁気データとして利用することができるクレジット口座情報でない場合、Ｓ１１０に進む。
【０１７９】
ＪＩＳ  Ｉ型の第２のクレジット磁気ストライプ１４０から読み取った磁気データに基づくカード情報が、第１のクレジット磁気ストライプ１１０に格納する磁気データとして利用することができるクレジット口座情報である場合、Ｓ３０３に進む。
【０１８０】
［Ｓ３０４、Ｓ１０７］
制御部１は、ＪＩＳ  Ｉ型の第２のクレジット磁気ストライプ１４０から読み取った磁気データに基づくカード情報に基づいて、第１のクレジット磁気ストライプ１１０への磁気データの書き込み指令を磁気情報復元部１ｅに行なう（Ｓ３０４）。
【０１８１】
磁気情報復元部１ｅは、磁気リードライト部２１に、ＪＩＳ  Ｉ型の第２のクレジット磁気ストライプ１４０から取得したカード情報に基づいて磁気データを生成させる。そして、ＪＩＳ  Ｉ型の第２のクレジット磁気ストライプ１４０から取得したカード情報に基づいて磁気データが、磁気ヘッド部２０２を通じて、第１のクレジット磁気ストライプ１１０に書き込まれる（Ｓ１０７）。
【０１８２】
［Ｓ１０８］
取得したクレジット口座情報に基づいて、第１のクレジット磁気ストライプの磁気データを復元した後、制御部１は、復元した磁気データが正常に復元された否かを確認する。
【０１８３】
［Ｓ１０９］
Ｓ１０８における磁気データの正常性の確認結果が操作表示部３に表示される。
【０１８４】
［Ｓ１１０］
取引カード１００の返却のため、取引カード１００がカード入出口３ａから排出される。
【０１８５】
（Ｃ−２）第３の実施形態の変形実施形態
第３の実施形態の図１１では、ＪＩＳ  Ｉ型の第２のクレジット磁気ストライプ１４０から取得したカード情報に基づいて、ＪＩＳ  Ｉ型の第１のクレジット磁気ストライプ１１０を復元する場合を例示したが、第１の実施形態及び第２の実施形態を組み合わせてもよい。
【０１８６】
例えば、第１のクレジット磁気ストライプを復元するためのクレジット口座情報を、まずは、第２のクレジット磁気ストライプ１４０から取得するようにする。そして、クレジット口座情報を適切に取得できなかった場合に、ＩＣチップ１３０のクレジット用アプリケーション１３２から取得するようにしてもよい。さらに、クレジット口座情報を適切に取得できなかった場合に、ホストコンピュータ４０からクレジット口座情報を取得するようにしてもよい。なお、上記のようなクレジット口座情報の取得先の組み合わせ順序は、特に限定されるものではない。
【０１８７】
（Ｃ−３）第３の実施形態の効果
以上のように、第３の実施形態によれば、例えば、クレジット一体型取引カード等の磁気ストライプにおいて磁気不良が生じてしまい、正常に磁気データを読み出せない場合に、取引カードの裏面に設けられているＪＩＳ  Ｉ型の磁気ストライプに格納されているカード情報を取得し、このカード情報に基づいて、第１のクレジット磁気ストライプの磁気データを復元することができる。
【０１８８】
（Ｄ）第４の実施形態
次に、本発明に係る取引装置及び磁気復元方法の第４の実施形態を、図面を参照しながら詳細に説明する。
【０１８９】
（Ｄ−１）第４の実施形態の構成及び動作
第４の実施形態は、第１のクレジット磁気ストライプ１１０に磁気不良がある場合に、第１のクレジット磁気ストライプ１１０の復元前に、顧客が希望する取引処理を行なう処理を例示する。つまり、顧客が希望する取引処理をした後に、第１のクレジット磁気ストライプの復元処理を行なう。
【０１９０】
これにより、第１のクレジット磁気ストライプ１１０の磁気不良が生じた場合でも、早い段階で取引カード１００の磁気データの復元ができる。また、取引処理と共に磁気データを復元できるので、顧客にとっては効率的に取引カード１００の磁気不良を解消できる。
【０１９１】
なお、第４の実施形態では、第１の実施形態で例示したクレジット口座情報の取得方法を用いて、第１のクレジット磁気ストライプ１１０に格納する情報を生成する場合を例示する。しかし、第４の実施形態は、第１〜第３の実施形態のうち少なくとも１つの実施形態で例示したクレジット口座情報の取得方法を用いる場合にも適用できる。
【０１９２】
第４の実施形態においても、第１〜第３の実施形態の図１〜図５を用いて説明する。
【０１９３】
図１２は、第４の実施形態に係る磁気データの復元処理を示すフローチャートである。図１２では、第１の実施形態の図６と対応する処理については同一符号を付している。
【０１９４】
［Ｓ１０１Ａ、Ｓ１０２〜Ｓ１０４］
顧客により残高照会、出金、及び入金等の取引ボタン（図示せず）のうちいずれか１つがメニュー画面５００１から選択され、取引カード１００が、第１方向でカード入出口２ａに挿入される（Ｓ１０１Ａ）。
【０１９５】
挿入された取引カード１００は、画像読取部２０３により当該取引カード１００の上側券面のほぼ全領域のイメージ画像を読み取る。取引カード１００のイメージ画像を全て読み取った後、搬送路２０６上で停止し待機する。取引カード１００のイメージデータは制御部１６に与えられる（Ｓ１０２）。
【０１９６】
取引カード１００は、磁気ヘッド部２０２により磁気データが読み取られ、その磁気データが磁気リードライト部２１に与えられ、その磁気データが制御部１に与えられる（Ｓ１０３）。
【０１９７】
磁気データが正常に読み取れた場合、磁気データの復元は不要であるので、Ｓ５０３に進み、取引装置１０は、第１のクレジット磁気ストライプ１１０から読み取った磁気データを用いて、ホストコンピュータ３０との間で情報の授受を行ない、取引を実行する。
【０１９８】
磁気データが正常に読み取れない場合、磁気データの復元が必要となるので、Ｓ１０４に進む。
【０１９９】
磁気データに異常がある場合、制御部１は、画像読取部２０３により読み取られたイメージ画像から、当該取引カード１００にＩＣチップ１３０が搭載されているか否かを行なう（Ｓ１０４）。
【０２００】
ＩＣ端子部が搭載されていることが認識できない場合、処理はＳ１１０に進み、カードが返却される。ＩＣ端子部が搭載されていることが認識された場合、処理はＳ５０１に進む。なお、第１の実施形態で説明したように、ステップＳ１０４の代わりに又はステップＳ１０４に含む処理として、キャッシュ用アプリケーション１３１をまずは起動させ、有効性情報を含むデータが読み取れるか否か確認され、カード種類が特定されても良い。
【０２０１】
［Ｓ５０１〜Ｓ５０４］
ＩＣ端子部が搭載されていることを認識した場合、制御部１は、ＩＣチップ１３０においてキャッシュ用アプリケーション１３１を起動させて（Ｓ５０１）、ＩＣチップ１３０から口座番号等を含むキャッシュ用のデータ（キャッシュ口座情報）を読み取る（Ｓ５０２）。そして、制御部１は、ホストコンピュータ３０との間でキャッシュ口座情報を含む取引内容電文の授受を行ない（Ｓ５０３）、取引装置１０は取引を実行する（Ｓ５０４）。つまり、ＩＣチップ１３０のキャッシュ用アプリケーション１３１に格納されているキャッシュ口座情報が用いられて取引処理が行われる。なお、上記Ｓ１０４において、既に口座番号等を含むキャッシュ用のデータ（キャッシュ口座情報）が読み取られていた場合、上記Ｓ５０１及びＳ５０２の処理は省略されても良い。
【０２０２】
［Ｓ５０５］
取引が終了すると、操作表示部３には、磁気ストライプに磁気不良が生じている旨、及び、磁気データの復元処理を実行するか否かの確認ボタンを含む表示画面が表示される。つまり、取引実行後に、磁気データが不良であるため、磁気データを復元するか否かを顧客に問い合わせる画面が操作表示部３に表示される。
【０２０３】
なお、かかる例に限定されず、例えば、ハンドセット１１は、上記表示画面と共に、若しくは、磁気データを復元処理するか否かを確認するための音声ガイダンスを単独で出力しても良い。また、上記確認ボタンを含む表示画面が表示される場合を例に挙げて説明したが、かかる例に限定されず、例えば、上記表示画面が省略されても良い。
【０２０４】
また例えば、上記表示画面には、取引カード１００のカード種類を顧客に確認させても良い。より具体的には、例えば、表示画面上に顧客が挿入した取引カード１００がクレジット一体型取引カードであることの確認を、顧客にボタンと押下させても良い。または、表示画面上に顧客が挿入した取引カード１００は、クレジット一体型取引カード又はＩＣキャッシュカードのどちらに該当するか顧客にボタンと押下させることで確認させても良い。その際、クレジット一体型取引カードが選択された場合は、後述の通り、クレジット用アプリケーション１３２が起動してクレジット口座情報が読み取られ、ＩＣキャッシュカードが選択された場合は、読み取り済の又は読み取ったキャッシュ口座情報が復元に利用される。
【０２０５】
また例えば、制御部１は、すでに上記Ｓ１０４又はＳ５０４にてＩＣチップ１３０から読み取る有効性情報を基にカード種類がクレジット一体型取引カードであることを判定しても良い。そうすれば、顧客にカード種類を確認させる処理を省略することも可能となり、顧客及び取引装置１０によるカード種類の二重の確認の機能を果たすことも可能である。
【０２０６】
その画面上で、磁気データの復元を実行する確認ボタンが選択されると、Ｓ１０５に進む。一方、磁気データの復元を実行しない取消ボタンが選択されると、処理はＳ１１０に進み、カードが返却される。
【０２０７】
［Ｓ１０５〜Ｓ１０７］
Ｓ１０５〜Ｓ１０７は、第１の実施形態と同様であるので、ここでは図７も参照しながら簡単に説明する。
【０２０８】
制御部１から情報取得要求を受けた磁気情報復元部１ｅは、ＩＣチップ１３０に対してクレジット用アプリケーション１３２への切替指令を通知し（Ｓ１２）、ＩＣチップ１３０からＯＫが通知され（Ｓ１３）、クレジット用アプリケーション１３２が起動する（Ｓ１０５）。
【０２０９】
ＩＣチップ１３０においてクレジット用アプリケーション１３２が起動すると、磁気情報復元部１ｅは、ＩＣチップ１３０のクレジット用アプリケーション１３２において格納されている、第１のクレジット磁気ストライプ１１０の磁気データとして利用できるクレジット口座情報を読み出す（Ｓ１４）。
【０２１０】
そして、ＩＣチップ１３０のクレジット用アプリケーション１３２からクレジット口座情報が読み出されると（Ｓ１５）、磁気情報復元部１ｅは、取得したクレジット口座情報を制御部１に通知する（Ｓ１６）。
【０２１１】
これにより、制御部１は、ＩＣチップ１３０のクレジット用アプリケーション１３２からクレジット口座情報を取得することができる（Ｓ１０６）。
【０２１２】
制御部１は、ＩＣチップ１３０のクレジット用アプリケーション１３２から取得したクレジット口座情報に基づいて、第１のクレジット磁気ストライプ１１０への磁気データの書き込み指令を磁気情報復元部１ｅに行なう（Ｓ１７）。
【０２１３】
磁気情報復元部１ｅは、磁気リードライト部２１に対して、ＩＣチップ１３０のクレジット用アプリケーション１３２から取得したクレジット口座情報に基づいて磁気データを生成させる。
【０２１４】
そして、ＩＣチップ１３０のクレジット用アプリケーション１３２から取得したクレジット口座情報に基づいて磁気データが、磁気ヘッド部２０２を通じて、第１のクレジット磁気ストライプ１１０に書き込まれる（Ｓ１８）。
【０２１５】
これにより、第１のクレジット磁気ストライプ１１０において磁気データが復元する（Ｓ１０７）。磁気データが第１のクレジット磁気ストライプ１１０書き込まれると、ＯＫが磁気情報復元部１ｅに通知され（Ｓ１９）、さらにＯＫが制御部１に通知される（Ｓ２０）。
【０２１６】
［Ｓ１０８］
取得したクレジット口座情報に基づいて、第１のクレジット磁気ストライプの磁気データを復元した後、制御部１は、復元した磁気データが正常に復元された否かを確認する。
【０２１７】
［Ｓ１０９］
Ｓ１０８における磁気データの正常性の確認結果が操作表示部３に表示される。
【０２１８】
［Ｓ１１０］
取引カード１００の返却のため、取引カード１００がカード入出口３ａから排出される。
【０２１９】
（Ｄ−２）第４の実施形態の変形実施形態
第４の実施形態では、取引ボタンが顧客に選択された後、取引カード１００が挿入される場合を例に挙げて説明したが、かかる例に限定されず、例えば、取引ボタンの顧客による選択に先行して、取引カード１００が挿入される場合でも良い。その場合、例えば、磁気ストライプ１１０が不良であれば、まずはキャッシュ用アプリケーション１３１が起動し有効性情報が読み取られる等により、挿入された取引カード１００のカード種類が特定された上で、そのカード種類に対応する取引ボタンが操作表示部３に表示されても良い。
【０２２０】
また、磁気データを復元する復元用のデータは、例えば、ＩＣチップ内にある口座情報等のデータ又はイメージ解析した結果を基に取引装置１０がホストコンピュータ３０又はホストコンピュータ４０にアクセスすることで、当該ホストコンピュータ３０又はホストコンピュータ４０から取得されてもよい。
【０２２１】
（Ｄ−３）第４の実施形態の効果
以上のように、第４の実施形態によれば、例えば、クレジット一体型取引カード等の磁気ストライプに磁気不良が生じたときに、顧客が希望する取引処理後に、磁気データの復元処理を実行することができる。
【０２２２】
そのため、取引処理後に、顧客が磁気データの復元処理を希望する場合には、取引処理に続いて、磁気データを復元することができる。また、磁気データの復元よりも取引処理が先行するため、取引処理の段階でクレジット用アプリケーション１３２への切替が不要となり、キャッシュ用アプリケーション１３１をそのまま起動でき、取引処理を迅速に進めることが可能となる。
【０２２３】
また、顧客が希望する取引処理の際、例えば、有効性情報等を基にしてクレジット一体型取引カードであることが判定可能となるため効率的に復元処理を進めることが可能となる。
【０２２４】
（Ｅ）第５の実施形態
次に、本発明に係る取引装置及び磁気復元方法の第５の実施形態を、図面を参照しながら詳細に説明する。
【０２２５】
（Ｅ−１）第５の実施形態の構成及び動作
第５の実施形態は、第１のクレジット磁気ストライプ１１０に磁気不良がある場合に、第１のクレジット磁気ストライプ１１０の復元後に、顧客が希望する取引処理を行なう処理を例示する。つまり、顧客が希望する取引処理前に、第１のクレジット磁気ストライプの復元処理を行なう。
【０２２６】
これにより、第１のクレジット磁気ストライプ１１０の磁気不良が生じた場合でも、早い段階で取引カード１００の磁気データの復元ができる。また、取引処理と共に磁気データを復元できるので、顧客にとっては効率的に取引カード１００の磁気不良を解消できる。
【０２２７】
なお、第５の実施形態でも、第１の実施形態で例示したクレジット口座情報の取得方法を用いて、第１のクレジット磁気ストライプ１１０に格納する情報を生成する場合を例示する。
【０２２８】
しかし、第４の実施形態と同様に、第５の実施形態は、第２及び／又は第３の実施形態で例示したクレジット口座情報の取得方法を用いる場合にも適用できる。
【０２２９】
第５の実施形態においても、第１〜第４の実施形態の図１〜図５を用いて説明する。
【０２３０】
図１３は、第５の実施形態に係る磁気データの復元処理を示すフローチャートである。図１３では、第１の実施形態の図６と対応する処理については同一符号を付している。
【０２３１】
［Ｓ１０１Ｂ、Ｓ１０２〜Ｓ１０４］
顧客により、取引カード１００が、第１方向でカード入出口２ａに挿入される（Ｓ１０１Ｂ）。
【０２３２】
挿入された取引カード１００は、画像読取部２０３により当該取引カード１００の上側券面のほぼ全領域のイメージ画像を読み取る。取引カード１００のイメージ画像を全て読み取った後、搬送路２０６上で停止し待機する。取引カード１００のイメージデータは制御部１６に与えられる（Ｓ１０２）。
【０２３３】
取引カード１００は、磁気ヘッド部２０２により磁気データが読み取られ、その磁気データが磁気リードライト部２１に与えられ、その磁気データが制御部１に与えられる（Ｓ１０３）。
【０２３４】
磁気データが正常に読み取れた場合、磁気データの復元は不要であるので、Ｓ６０３に進み、取引装置１０は、第１のクレジット磁気ストライプ１１０から読み取った磁気データを用いて、ホストコンピュータ３０との間で情報の授受を行ない、取引を実行する。
【０２３５】
磁気データが正常に読み取れない場合、磁気データの復元が必要となるので、Ｓ１０４に進む。
【０２３６】
磁気データに異常がある場合、制御部１は、画像読取部２０３により読み取られたイメージ画像から、当該取引カード１００にＩＣチップ１３０が搭載されているか否かを行なう（Ｓ１０４）。
【０２３７】
ＩＣ端子部が搭載されていることが認識できない場合、処理はＳ１１０に進み、カードが返却される。ＩＣ端子部が搭載されていることが認識された場合、処理はＳ６０１に進む。なお、第１の実施形態で説明したように、ステップＳ１０４の代わりに又はステップＳ１０４に含む処理として、キャッシュ用アプリケーション１３１をまずは起動させ、有効性情報を含むデータが読み取れるか否か確認され、カード種類が特定されても良い。
【０２３８】
［Ｓ６０１］
操作表示部３には、磁気ストライプに磁気不良が生じている旨、及び、磁気データの復元処理を実行するか否かの確認ボタンを含む表示画面が表示される。つまり、取引実行前に、磁気データが不良であるため、磁気データを復元するか否かを顧客に問い合わせる画面が操作表示部３に表示される。
【０２３９】
その画面上で、磁気データの復元を実行する確認ボタンが選択されると、Ｓ１０５に進む。一方、磁気データの復元を実行しない取消ボタンが選択されると、処理はＳ６０３に進む。
【０２４０】
なお、かかる例に限定されず、例えば、ハンドセット１１は、上記表示画面と共に、若しくは、磁気データを復元処理するか否かを確認するための音声ガイダンスを単独で出力しても良い。また、上記確認ボタンを含む表示画面が表示される場合を例に挙げて説明したが、かかる例に限定されず、例えば、上記表示画面が省略されても良い。
【０２４１】
また例えば、上記表示画面には、取引カード１００のカード種類を顧客に確認させても良い。より具体的には、例えば、表示画面上に顧客が挿入した取引カード１００は、クレジット一体型取引カードであることの確認を、顧客にボタンと押下させても良い。または、表示画面上に顧客が挿入した取引カード１００は、クレジット一体型取引カード又はＩＣキャッシュカードのどちらに該当するか顧客にボタンと押下させることで確認させても良い。その際、クレジット一体型取引カードが選択された場合は、後述の通り、クレジット用アプリケーション１３２が起動してクレジット口座情報が読み取られ、ＩＣキャッシュカードが選択された場合は、読み取り済の又は読み取ったキャッシュ口座情報が復元に利用される。
【０２４２】
また例えば、制御部１は、上記Ｓ１０４にてＩＣチップ１３０から有効性情報を読み取っていた場合は、当該有効性情報に基づいてカード種類がクレジット一体型取引カードであることを判定しても良い。そうすれば、顧客にカード種類を確認させる処理を省略することも可能となり、顧客及び取引装置１０によるカード種類の二重の確認の機能を果たすことも可能である。
【０２４３】
［Ｓ１０５〜Ｓ１０７］
Ｓ１０５〜Ｓ１０７は、第１の実施形態と同様であるので、ここでは図７も参照しながら簡単に説明する。
【０２４４】
制御部１から情報取得要求を受けた磁気情報復元部１ｅは、ＩＣチップ１３０に対してクレジット用アプリケーション１３２への切替指令を通知し（Ｓ１２）、ＩＣチップ１３０からＯＫが通知され（Ｓ１３）、クレジット用アプリケーション１３２が起動する（Ｓ１０５）。
【０２４５】
ＩＣチップ１３０においてクレジット用アプリケーション１３２が起動すると、磁気情報復元部１ｅは、ＩＣチップ１３０のクレジット用アプリケーション１３２において格納されている、第１のクレジット磁気ストライプ１１０の磁気データとして利用できるクレジット口座情報を読み出す（Ｓ１４）。
【０２４６】
そして、ＩＣチップ１３０のクレジット用アプリケーション１３２からクレジット口座情報が読み出されると（Ｓ１５）、磁気情報復元部１ｅは、取得したクレジット口座情報を制御部１に通知する（Ｓ１６）。
【０２４７】
これにより、制御部１は、ＩＣチップ１３０のクレジット用アプリケーション１３２からクレジット口座情報を取得することができる（Ｓ１０６）。
【０２４８】
制御部１は、ＩＣチップ１３０のクレジット用アプリケーション１３２から取得したクレジット口座情報に基づいて、第１のクレジット磁気ストライプ１１０への磁気データの書き込み指令を磁気情報復元部１ｅに行なう（Ｓ１７）。
【０２４９】
磁気情報復元部１ｅは、磁気リードライト部２１に対して、ＩＣチップ１３０のクレジット用アプリケーション１３２から取得したクレジット口座情報に基づいて磁気データを生成させる。
【０２５０】
そして、ＩＣチップ１３０のクレジット用アプリケーション１３２から取得したクレジット口座情報に基づいて磁気データが、磁気ヘッド部２０２を通じて、第１のクレジット磁気ストライプ１１０に書き込まれる（Ｓ１８）。
【０２５１】
これにより、第１のクレジット磁気ストライプ１１０において磁気データが復元する（Ｓ１０７）。磁気データが第１のクレジット磁気ストライプ１１０書き込まれると、ＯＫが磁気情報復元部１ｅに通知され（Ｓ１９）、さらにＯＫが制御部１に通知される（Ｓ２０）。
【０２５２】
［Ｓ１０８］
取得したクレジット口座情報に基づいて、第１のクレジット磁気ストライプの磁気データを復元した後、制御部１は、復元した磁気データが正常に復元された否かを確認する。
【０２５３】
［Ｓ１０９］
Ｓ１０８における磁気データの正常性の確認結果が操作表示部３に表示される。
【０２５４】
［Ｓ６０２］
操作表示部３には、メニュー画面が表示され、顧客が希望する取引ボタンが選択される。その画面上で、取引ボタンが選択されると、Ｓ６０３に進む。一方、取引を実行しない取消ボタンが選択されると、処理はＳ１１０に進み、カード返却されて、処理は終了する。なお、かかる例に限定されず、例えば、顧客による取引カード１００の挿入前に、メニュー画面に表示された取引ボタンが顧客に選択されても良く、その際は、顧客による取引ボタンの選択を待たずに後続のステップＳ６０３に続く。
【０２５５】
［Ｓ６０３〜Ｓ６０５］
制御部１は、ＩＣチップ１３０のキャッシュ用アプリケーション１３１からキャッシュ口座情報を読み取る（Ｓ６０３）。なお、必要に応じて、クレジット用アプリケーション１３２からキャッシュ用アプリケーション１３１へ切替が行われる。また、磁気データの復元の際にキャッシュ口座情報を既に読取済であれば、ステップＳ６０３は省略しても良い。
【０２５６】
そして、制御部１は、ホストコンピュータ３０との間でキャッシュ口座情報を含む取引内容電文の授受を行ない（Ｓ６０４）、取引装置１０は取引を実行する（Ｓ６０５）。
【０２５７】
［Ｓ１１０］
取引実行後、取引カード１００の返却のため、取引カード１００がカード入出口３ａから排出される。
【０２５８】
（Ｅ−２）第５の実施形態の変形実施形態
また、第５の実施形態では、取引ボタンの選択よりも取引カード１００の挿入が先行する場合を例に挙げて説明したが、かかる例に限定されず、取引ボタンの選択が先行する場合でも良い。
【０２５９】
（Ｅ−３）第５の実施形態の効果
以上のように、第５の実施形態によれば、例えば、クレジット一体型取引カード等の磁気ストライプに磁気不良が生じたときに、顧客が希望する取引処理前に、まずは磁気データの復元処理を先行して実行することができる。
【０２６０】
そのため、磁気ストライプ１１０の不具合が解消し、顧客にまず安心感を与えることができ、その後の取引処理を顧客は落ち着いて対応し得る。
【０２６１】
（Ｆ）第６の実施形態
次に、本発明に係る取引装置及び磁気復元方法の第６の実施形態を、図面を参照しながら詳細に説明する。
【０２６２】
（Ｆ−１）第６の実施形態の構成及び動作
第６の実施形態は、例えば、ＩＣクレジットカードとしての第１のクレジット磁気ストライプ１１０及び／又は磁気ストライプ１４０に磁気不良がある場合に、第１のクレジット磁気ストライプ１１０及び／又は磁気ストライプ１４０の復元前に、顧客が希望する取引処理を行なう処理を例示する。つまり、顧客が希望する取引処理をした後に、磁気ストライプの復元処理を行なう。
【０２６３】
これにより、磁気ストライプの磁気不良が生じた場合でも、早い段階で取引カード１００の磁気データの復元ができる。また、取引処理と共に磁気データを復元できるので、顧客にとっては効率的に取引カード１００の磁気不良を解消できる。
【０２６４】
なお、第６の実施形態では、第１の実施形態で例示したクレジット口座情報の取得方法を用いて、第１のクレジット磁気ストライプ１１０及び／又は磁気ストライプ１４０に格納する情報を生成する場合を例示する。しかし、第６の実施形態は、第１〜第５の実施形態のうち少なくとも１つの実施形態で例示したクレジット口座情報の取得方法を用いる場合にも適用できる。
【０２６５】
第６の実施形態においても、第１〜第５の実施形態の図１〜図５を用いて説明する。
【０２６６】
図１４は、第６の実施形態に係る磁気データの復元処理を示すフローチャートである。図１４では、第１の実施形態の図６と対応する処理については同一符号を付している。
【０２６７】
［Ｓ１０１Ｃ、Ｓ１０２、Ｓ１０３Ａ、Ｓ１０４Ａ］
顧客により出金等の取引ボタン（図示せず）のうちいずれか１つがメニュー画面５００１から選択され、取引カード１００が、第１方向でカード入出口２ａに挿入される（Ｓ１０１Ｃ）。
【０２６８】
挿入された取引カード１００は、画像読取部２０３により当該取引カード１００の上側券面のほぼ全領域のイメージ画像を読み取る。取引カード１００のイメージ画像を全て読み取った後、搬送路２０６上で停止し待機する。取引カード１００のイメージデータは制御部１６に与えられる（Ｓ１０２）。
【０２６９】
取引カード１００は、磁気ヘッド部２０２及び／又は磁気ヘッド２０７により磁気データが読み取られ、その磁気データが磁気リードライト部２１に与えられ、その磁気データが制御部１に与えられる（Ｓ１０３Ａ）。
【０２７０】
磁気データが正常に読み取れた場合、磁気データの復元は不要であるので、Ｓ５０３に進み、取引装置１０は、第１のクレジット磁気ストライプ１１０又は磁気ストライプ１４０から読み取った磁気データ、又はＩＣチップ１３０内のクレジット口座情報を用いて、ホストコンピュータ３０との間で情報の授受を行ない、取引を実行する。
【０２７１】
磁気データが正常に読み取れない場合、磁気データの復元が必要となるので、Ｓ１０４Ａに進む。
【０２７２】
磁気データに異常がある場合、制御部１は、画像読取部２０３により読み取られたイメージ画像から、当該取引カード１００にＩＣチップ１３０が搭載されているか否かを行なう（Ｓ１０４Ａ）。
【０２７３】
ＩＣ端子部が搭載されていることが認識できない場合、処理はＳ１１０に進み、カードが返却される。ＩＣ端子部が搭載されていることが認識された場合、処理はＳ５０１に進む。
【０２７４】
なお、ステップＳ１０４Ａの代わりに又はステップＳ１０４Ａに含む処理として、例えば、キャッシュ用アプリケーション１３１が起動し、データが読み取れるか否か確認され、その前又は後でクレジット用アプリケーション１３２が起動し、データが読み取れるか否か確認されることで、カード種類が特定されても良い。
【０２７５】
［Ｓ５０１Ａ、Ｓ５０２Ａ、Ｓ５０３Ａ、Ｓ５０４］
例えば、ＩＣクレジットカードのＩＣ端子部が搭載されていることを認識した場合、制御部１は、ＩＣチップ１３０においてクレジット用アプリケーション１３２を起動させて（Ｓ５０１Ａ）、ＩＣチップ１３０からクレジット口座情報を読み取る（Ｓ５０２Ａ）。そして、制御部１は、ホストコンピュータ３０との間でクレジット口座情報を含む取引内容電文の授受を行ない（Ｓ５０３Ａ）、取引装置１０は取引を実行する（Ｓ５０４）。つまり、制御部１は、ＩＣチップ１３０のクレジット用アプリケーション１３２に格納されているクレジット情報を用いて取引処理を行なう。なお、上記Ｓ１０４Ａにおいて、既にクレジット口座情報が読み取られていた場合、上記Ｓ５０１Ａ及びＳ５０２Ａの処理は省略されても良い。
【０２７６】
［Ｓ５０５］
取引が終了すると、操作表示部３には、磁気ストライプに磁気不良が生じている旨、及び、磁気データの復元処理を実行するか否かの確認ボタンを含む表示画面が表示される。つまり、取引実行後に、磁気データが不良であるため、磁気データを復元するか否かを顧客に問い合わせる画面が操作表示部３に表示される。
【０２７７】
なお、かかる例に限定されず、例えば、ハンドセット１１は、上記表示画面と共に、若しくは、磁気データを復元処理するか否かを確認するための音声ガイダンスを単独で出力しても良い。また、上記確認ボタンを含む表示画面が表示される場合を例に挙げて説明したが、かかる例に限定されず、例えば、上記表示画面が省略されても良い。
【０２７８】
また例えば、上記表示画面には、取引カード１００のカード種類を顧客に確認させても良い。より具体的には、例えば、表示画面上に顧客が挿入した取引カード１００は、ＩＣクレジットカードであることの確認を、顧客にボタンと押下させても良い。または、表示画面上に顧客が挿入した取引カード１００は、ＩＣクレジットカード、クレジット一体型取引カード、又はＩＣキャッシュカードのどちらに該当するか顧客にボタンと押下させることで確認させても良い。その際、ＩＣクレジットカードが選択された場合は、後述の通り、クレジット用アプリケーション１３２が起動してクレジット口座情報が読み取られ、ＩＣキャッシュカードが選択された場合は、ＩＣチップ１３０から読み取られるキャッシュ口座情報が復元に利用される。
【０２７９】
また、例えば、制御部１は、すでに上記Ｓ１０４Ａ又はＳ５０４にてＩＣチップ１３０から読み取るクレジット口座情報を基にカード種類がＩＣクレジットカードであることを判定しても良い。そうすれば、顧客にカード種類を確認させる処理を省略することも可能となり、顧客及び取引装置１０によるカード種類の二重の確認の機能を果たすことも可能である。
【０２８０】
その画面上で、磁気データの復元を実行する確認ボタンが選択されると、Ｓ１０５Ａに進む。一方、磁気データの復元を実行しない取消ボタンが選択されると、処理はＳ１１０に進み、カードが返却される。
【０２８１】
［Ｓ１０５〜Ｓ１０７］
Ｓ１０５〜Ｓ１０７は、図７も参照しながら簡単に説明する。
【０２８２】
制御部１から情報取得要求を受けた磁気情報復元部１ｅは、ＩＣチップ１３０に対してクレジット用アプリケーション１３２への切替指令を通知し（Ｓ１２）、ＩＣチップ１３０からＯＫが通知され（Ｓ１３）、クレジット用アプリケーション１３２が起動する（Ｓ１０５）。
【０２８３】
ＩＣチップ１３０においてクレジット用アプリケーション１３２が起動すると、磁気情報復元部１ｅは、ＩＣチップ１３０のクレジット用アプリケーション１３２において格納されている、第１のクレジット磁気ストライプ１１０及び／又は磁気ストライプ１４０の磁気データとして利用できるクレジット口座情報を読み出す（Ｓ１４）。
【０２８４】
そして、ＩＣチップ１３０のクレジット用アプリケーション１３２からクレジット口座情報が読み出されると（Ｓ１５）、磁気情報復元部１ｅは、取得したクレジット口座情報を制御部１に通知する（Ｓ１６）。
【０２８５】
これにより、制御部１は、ＩＣチップ１３０のクレジット用アプリケーション１３２からクレジット口座情報を取得することができる（Ｓ１０６）。なお、かかる例に限定されず、例えば、ステップＳ１０４Ａにて、クレジット口座情報が取得されていた場合、上記ステップＳ１２〜Ｓ１６、Ｓ１０５〜Ｓ１０６は省略されてもよい。
【０２８６】
制御部１は、ＩＣチップ１３０のクレジット用アプリケーション１３２から取得したクレジット口座情報に基づいて、第１のクレジット磁気ストライプ１１０への磁気データの書き込み指令を磁気情報復元部１ｅに行なう（Ｓ１７）。
【０２８７】
磁気情報復元部１ｅは、磁気リードライト部２１に対して、ＩＣチップ１３０のクレジット用アプリケーション１３２から取得したクレジット口座情報に基づいて磁気データを生成させる。
【０２８８】
そして、ＩＣチップ１３０のクレジット用アプリケーション１３２から取得したクレジット口座情報に基づいて磁気データが、磁気ヘッド部２０２又は磁気ヘッド２０７を通じて、第１のクレジット磁気ストライプ１１０及び／又は磁気ストライプ１４０に書き込まれる（Ｓ１８）。
【０２８９】
これにより、第１のクレジット磁気ストライプ１１０及び／又は磁気ストライプ１４０において磁気データが復元する（Ｓ１０７）。磁気データが第１のクレジット磁気ストライプ１１０及び／又は磁気ストライプ１４０に書き込まれると、ＯＫが磁気情報復元部１ｅに通知され（Ｓ１９）、さらにＯＫが制御部１に通知される（Ｓ２０）。
【０２９０】
［Ｓ１０８］
取得したクレジット口座情報に基づいて、磁気ストライプの磁気データを復元した後、制御部１は、復元した磁気データが正常に復元された否かを確認する。
【０２９１】
［Ｓ１０９］
Ｓ１０８における磁気データの正常性の確認結果が操作表示部３に表示される。
【０２９２】
［Ｓ１１０］
取引カード１００の返却のため、取引カード１００がカード入出口３ａから排出される。
【０２９３】
（Ｆ−２）第６の実施形態の効果
以上のように、第６の実施形態によれば、クレジット用の磁気ストライプに磁気不良が生じたときに、顧客が希望する取引処理後に、磁気データの復元処理を実行することができる。
【０２９４】
そのため、取引処理後に、顧客が磁気データの復元処理を希望する場合には、取引処理に続いて、磁気データを復元することができる。
【０２９５】
（Ｇ）第７の実施形態
次に、本発明に係る取引装置及び磁気復元方法の第７の実施形態を、図面を参照しながら詳細に説明する。
【０２９６】
（Ｇ−１）第７の実施形態の構成及び動作
第７の実施形態は、例えば、ＩＣクレジットカードとしての第１のクレジット磁気ストライプ１１０及び／又は磁気ストライプ１４０に磁気不良がある場合に、第１のクレジット磁気ストライプ１１０及び／又は磁気ストライプ１４０の復元後に、顧客が希望する取引処理を行なう処理を例示する。つまり、顧客が希望する取引処理前に、磁気ストライプの復元処理を行なう。
【０２９７】
これにより、磁気ストライプの磁気不良が生じた場合でも、早い段階で取引カード１００の磁気データの復元ができる。また、取引処理と共に磁気データを復元できるので、顧客にとっては効率的に取引カード１００の磁気不良を解消できる。
【０２９８】
なお、第７の実施形態では、第１の実施形態で例示したクレジット口座情報の取得方法を用いて、第１のクレジット磁気ストライプ１１０及び／又は磁気ストライプ１４０に格納する情報を生成する場合を例示する。
【０２９９】
しかし、第６の実施形態と同様に、第７の実施形態は、第１〜第６の実施形態のうち少なくとも一つの実施形態で例示したクレジット口座情報の取得方法を用いる場合にも適用できる。
【０３００】
第７の実施形態においても、第１〜第６の実施形態の図１〜図５を用いて説明する。
【０３０１】
図１５は、第７の実施形態に係る磁気データの復元処理を示すフローチャートである。図１５では、第１の実施形態の図６と対応する処理については同一符号を付している。
【０３０２】
［Ｓ１０１Ｃ、Ｓ１０２、Ｓ１０３Ａ、Ｓ１０４Ａ］
顧客により出金等の取引ボタン（図示せず）のうちいずれか一つがメニュー画面５００１から選択され、取引カード１００が、第１方向でカード入出口２ａに挿入される（Ｓ１０１Ｃ）。
【０３０３】
挿入された取引カード１００は、画像読取部２０３により当該取引カード１００の上側券面のほぼ全領域のイメージ画像を読み取る。取引カード１００のイメージ画像を全て読み取った後、搬送路２０６上で停止し待機する。取引カード１００のイメージデータは制御部１６に与えられる（Ｓ１０２）。
【０３０４】
取引カード１００は、磁気ヘッド部２０２及び／又は磁気ヘッド２０７により磁気データが読み取られ、その磁気データが磁気リードライト部２１に与えられ、その磁気データが制御部１に与えられる（Ｓ１０３Ａ）。
【０３０５】
磁気データが正常に読み取れた場合、磁気データの復元は不要であるので、Ｓ６０３に進み、取引装置１０は、第１のクレジット磁気ストライプ１１０及び／又は磁気ストライプ１４０から読み取った磁気データ、又はＩＣチップ１３０内のクレジット口座情報を用いて、ホストコンピュータ３０との間で情報の授受を行ない、取引を実行する。
【０３０６】
磁気データが正常に読み取れない場合、磁気データの復元が必要となるので、Ｓ１０４Ａに進む。
【０３０７】
磁気データに異常がある場合、制御部１は、画像読取部２０３により読み取られたイメージ画像から、当該取引カード１００にＩＣチップ１３０が搭載されているか否かを行なう（Ｓ１０４Ａ）。
【０３０８】
ＩＣ端子部が搭載されていることが認識できない場合、処理はＳ１１０に進み、カードが返却される。ＩＣ端子部が搭載されていることが認識された場合、処理はＳ６０１に進む。なお、ステップＳ１０４Ａの代わりに又はステップＳ１０４Ａに含む処理として、例えば、キャッシュ用アプリケーション１３１が起動し、データが読み取れるか否か確認され、その前又は後でクレジット用アプリケーション１３２が起動し、データが読み取れるか否か確認されることで、カード種類が特定されても良い。
【０３０９】
［Ｓ６０１］
操作表示部３には、磁気ストライプに磁気不良が生じている旨、及び、磁気データの復元処理を実行するか否かの確認ボタンを含む表示画面が表示される。つまり、取引実行前に、磁気データが不良であるため、磁気データを復元するか否かを顧客に問い合わせる画面が操作表示部３に表示される。
【０３１０】
その画面上で、磁気データの復元を実行する確認ボタンが選択されると、Ｓ１０５に進む。一方、磁気データの復元を実行しない取消ボタンが選択されると、処理はＳ６０３に進む。
【０３１１】
なお、かかる例に限定されず、例えば、ハンドセット１１は、上記表示画面と共に、若しくは、磁気データを復元処理するか否かを確認するための音声ガイダンスを単独で出力しても良い。また、上記確認ボタンを含む表示画面が表示される場合を例に挙げて説明したが、かかる例に限定されず、例えば、上記表示画面が省略されても良い。
【０３１２】
また例えば、上記表示画面には、取引カード１００のカード種類を顧客に確認させても良い。より具体的には、例えば、表示画面上に顧客が挿入した取引カード１００は、ＩＣクレジットカードであることの確認を、顧客にボタンと押下させても良い。または、表示画面上に顧客が挿入した取引カード１００は、ＩＣクレジットカード、クレジット一体型取引カード、又はＩＣキャッシュカードのどちらに該当するか顧客にボタンと押下させることで確認させても良い。その際、ＩＣクレジットカードが選択された場合は、後述の通り、クレジット用アプリケーション１３２が起動してクレジット口座情報が読み取られ、ＩＣキャッシュカードが選択された場合は、読み取り済の又は読み取られるキャッシュ口座情報が復元に利用される。
【０３１３】
また例えば、制御部１は、すでに上記Ｓ１０４Ａ又はＳ６０４にてＩＣチップ１３０から読み取るクレジット口座情報を基にカード種類がＩＣクレジットカードであることを判定しても良い。そうすれば、顧客にカード種類を確認させる処理を省略することも可能となるし、顧客及び取引装置１０によるカード種類の二重の確認の機能を果たすことも可能である。
【０３１４】
［Ｓ１０５〜Ｓ１０７］
Ｓ１０５〜Ｓ１０７は、図７も参照しながら簡単に説明する。
【０３１５】
制御部１から情報取得要求を受けた磁気情報復元部１ｅは、ＩＣチップ１３０に対してクレジット用アプリケーション１３２への切替指令を通知し（Ｓ１２）、ＩＣチップ１３０からＯＫが通知され（Ｓ１３）、クレジット用アプリケーション１３２が起動する（Ｓ１０５）。
【０３１６】
ＩＣチップ１３０においてクレジット用アプリケーション１３２が起動すると、磁気情報復元部１ｅは、ＩＣチップ１３０のクレジット用アプリケーション１３２において格納されている、第１のクレジット磁気ストライプ１１０及び／又は磁気ストライプ１４０の磁気データとして利用できるクレジット口座情報を読み出す（Ｓ１４）。
【０３１７】
そして、ＩＣチップ１３０のクレジット用アプリケーション１３２からクレジット口座情報が読み出されると（Ｓ１５）、磁気情報復元部１ｅは、取得したクレジット口座情報を制御部１に通知する（Ｓ１６）。
【０３１８】
これにより、制御部１は、ＩＣチップ１３０のクレジット用アプリケーション１３２からクレジット口座情報を取得することができる（Ｓ１０６）。なお、かかる例に限定されず、例えば、ステップＳ１０４Ａにて、クレジット口座情報が取得されていた場合、上記ステップＳ１２〜Ｓ１６、Ｓ１０５〜Ｓ１０６は省略されてもよい。
【０３１９】
制御部１は、ＩＣチップ１３０のクレジット用アプリケーション１３２から取得したクレジット口座情報に基づいて、第１のクレジット磁気ストライプ１１０及び／又は磁気ストライプ１４０への磁気データの書き込み指令を磁気情報復元部１ｅに行なう（Ｓ１７）。
【０３２０】
磁気情報復元部１ｅは、磁気リードライト部２１に対して、ＩＣチップ１３０のクレジット用アプリケーション１３２から取得したクレジット口座情報に基づいて磁気データを生成させる。
【０３２１】
そして、ＩＣチップ１３０のクレジット用アプリケーション１３２から取得したクレジット口座情報に基づいて磁気データが、磁気ヘッド部２０２及び／又は磁気ヘッド部２０７を通じて、第１のクレジット磁気ストライプ１１０及び／又は磁気ストライプ１４０に書き込まれる（Ｓ１８）。
【０３２２】
これにより、磁気ストライプ１１０及び／又は磁気ストライプ１４０において磁気データが復元する（Ｓ１０７）。磁気データが磁気ストライプ１１０、１４０に書き込まれると、ＯＫが磁気情報復元部１ｅに通知され（Ｓ１９）、さらにＯＫが制御部１に通知される（Ｓ２０）。
【０３２３】
［Ｓ１０８］
取得したクレジット口座情報に基づいて、第１のクレジット磁気ストライプの磁気データを復元した後、制御部１は、復元した磁気データが正常に復元された否かを確認する。
【０３２４】
［Ｓ１０９］
Ｓ１０８における磁気データの正常性の確認結果が操作表示部３に表示される。
【０３２５】
［Ｓ６０２］
操作表示部３には、メニュー画面が表示され、顧客が希望する取引ボタンが選択される。その画面上で、取引ボタンが選択されると、Ｓ６０３に進む。一方、取引を実行しない取消ボタンが選択されると、処理はＳ１１０に進み、カード返却されて、処理は終了する。なお、かかる例に限定されず、例えば、顧客による取引カード１００の挿入前に、メニュー画面に表示された取引ボタンが顧客に選択されても良く、その際は、顧客による取引ボタンの選択を待たずに後続のステップＳ６０３に続く。
【０３２６】
［Ｓ６０３〜Ｓ６０５］
制御部１は、ＩＣチップ１３０のクレジット用アプリケーション１３２からクレジット口座情報を読み取るか、または、磁気データから解析したクレジット口座情報を読み取る（Ｓ６０３）。なお、既にクレジット口座情報が取得されていた場合は、ステップＳ６０３は省略しても良い。
【０３２７】
そして、制御部１は、ホストコンピュータ３０との間でクレジット口座情報を含む取引内容電文の授受を行ない（Ｓ６０４）、取引装置１０は取引を実行する（Ｓ６０５）。
【０３２８】
［Ｓ１１０］
取引実行後、取引カード１００の返却のため、取引カード１００がカード入出口３ａから排出される。
【０３２９】
（Ｇ−２）第７の実施形態の効果
以上のように、第７の実施形態によれば、クレジット用の磁気ストライプに磁気不良が生じたときに、顧客が希望する取引処理前に、まずは磁気データの復元処理を先行して実行することができる。
【０３３０】
そのため、取引処理前に、磁気ストライプ１１０及び／又は磁気ストライプ１４０の不具合が解消し、顧客にまず安心感を与えることができ、その後の取引処理を顧客は落ち着いて対応し得る。
【０３３１】
（Ｈ）他の実施形態
上述した第１〜第７の実施形態では、クレジット一体型取引カードである場合を例示した。しかし、クレジットカード機能以外の他の機能を持つＩＣキャッシュカードにも適用できる。さらに、キャッシュカードに限定されるものではなく、例えば、ローン機能など１又は複数の種類の機能を持つＩＣカードにも適用できる。
【０３３２】
例えば、ＩＣカードには、ＩＣカードのカード種類に応じて、各種類の磁気ストライプが付与されており、ＩＣチップには各種類の情報が格納されているのであればよい。そして、磁気復元部が、ＩＣチップにアクセスして、上記カード種類又は磁気ストライプの種類に応じたアプリケーションを起動させる。磁気復元部は、そのアプリケーションから情報を取得する。そして、磁気復元部は、ＩＣチップから取得した情報に基づく磁気データを磁気ストライプに書き込む。これにより、第１〜第７の実施形態と同様の効果が得られる。
【０３３３】
また、第１〜第７の実施形態では、操作表示部３には取引名称などのメッセージが表示されるが、ＩＣクレジットカードが海外発行のカードである場合、上記メッセージは外国語で表示されても良い。
【０３３４】
また、第１〜第７の実施形態では、操作表示部３に表示される取引名称などの表記は、日本語以外にも外国語でも良く、顧客による選択で表記を変更しても良い。
【符号の説明】
【０３３５】
９０…取引システム、１０…取引装置、３０…ホストコンピュータ、４０…ホストコンピュータ、
１…制御部、１ａ…磁気情報確認部、１ｂ…券面情報確認部、１ｃ…端子確認部、１ｄ…ＩＣ情報読取部、１ｅ…磁気情報復元部、１ｆ…取引処理部、
２…カード処理部、２ａ…カード入出口、２０１ａ及び２０１ｂ…カード検知部、２０２及び２０７…磁気ヘッド部、２０３…画像読取部、２０４…ＩＣ接点部、３…操作表示部、８…通信部、
１００…取引カード、１１０…クレジットカード用第１の磁気ストライプ（第１のクレジット磁気ストライプ）、１２０…キャッシュカード用磁気ストライプ（キャッシュ磁気ストライプ）、１３０…ＩＣチップ、１４０…クレジットカード用第２の磁気ストライプ（第２のクレジット磁気ストライプ）。
【図１】
2020035284.tif 000003
【図２】
2020035284.tif 000004
【図３】
2020035284.tif 000005
【図４】
2020035284.tif 000006
【図５】
2020035284.tif 000007
【図６】
2020035284.tif 000008
【図７】
2020035284.tif 000009
【図８】
2020035284.tif 000010
【図９】
2020035284.tif 000011
【図１０】
2020035284.tif 000012
【図１１】
2020035284.tif 000013
【図１２】
2020035284.tif 000014
【図１３】
2020035284.tif 000015
【図１４】
2020035284.tif 000016
【図１５】
2020035284.tif 000017